(57)【要約】【課題】認証に用いられるＩＤ画像を第三者に容易に知られることがない認証システムを得る。【解決手段】移動端末であるユーザ端末１が、自端末が保持するユニークな画像を基地局４及び通信ネットワーク１０を介して認証サーバ３に送信することにより、認証サーバ３において当該画像がユーザ端末１のユーザ認証に用いられるＩＤ画像として登録される。その後、ユーザが店舗に行き、認証のためにユーザ端末１から店舗装置２に画像を送信すると、認証サーバ３に転送され、認証サーバ３はＩＤ画像と一致するか否かにより認証を行う。【選択図】      図１
2004328412.tif 000002
【特許請求の範囲】
【請求項１】
移動端末を含み認証を行う認証システムであって、
前記移動端末毎に異なる画像をＩＤ画像として認証に用いるようにしたことを特徴とする認証システム。
【請求項２】
前記移動端末毎に異なる画像を前記ＩＤ画像として記憶する記憶手段と、
前記移動端末から送信された画像が前記記憶手段に記憶された前記ＩＤ画像と一致するか否かにより認証を行う認証手段とを含むことを特徴とする請求項１記載の認証システム。
【請求項３】
前記認証手段は、前記移動端末から送信された画像の特徴と前記ＩＤ画像の特徴とを比較することにより認証を行うことを特徴とする請求項２記載の認証システム。
【請求項４】
前記認証手段は、前記移動端末から送信された画像と所定の画像との差分と、前記ＩＤ画像と前記所定の画像との差分と、を比較することにより認証を行うことを特徴とする請求項２又は３記載の認証システム。
【請求項５】
前記移動端末毎に異なる画像を前記ＩＤ画像として記憶する記憶手段を含み、
前記移動端末は、自端末が保持する画像の特徴を送信する送信手段を有し、
前記移動端末の前記送信手段から送信された特徴が前記記憶手段に記憶された前記ＩＤ画像の特徴と一致するか否かにより認証を行う認証手段を含むことを特徴とする請求項１記載の認証システム。
【請求項６】
前記送信手段は、自端末が保持する画像と所定の画像との差分を送信し、
前記認証手段は、前記移動端末の前記送信手段から送信された差分と、前記ＩＤ画像と前記所定の画像との差分と、を比較することにより認証を行うことを特徴とする請求項５記載の認証システム。
【請求項７】
前記移動端末は、自端末が保持する画像の特徴をバーコードに変換するバーコード生成手段と、前記送信手段に代えて前記バーコード生成手段により生成された前記バーコードを表示する表示手段とを有し、
前記表示手段に表示された前記バーコードを読み取るバーコード読取手段を含み、
前記移動端末の前記送信手段から送信された特徴は、前記バーコード読取手段により前記バーコードを読み取ることによって得られた特徴であることを特徴とする請求項５又は６記載の認証システム。
【請求項８】
画像を加工する画像加工手段を更に含み、
前記ＩＤ画像は前記画像加工手段が前記所定の画像を加工して生成したものであることを特徴とする請求項４又は６記載の認証システム。
【請求項９】
前記移動端末毎に異なる画像を前記ＩＤ画像として記憶する記憶手段と、
前記ＩＤ画像を少なくとも２つの画像に分解する画像分解手段と、
前記画像分解手段により分解された前記ＩＤ画像の一方を前記移動端末に送信する送信手段と、
前記移動端末から送信された画像と前記画像分解手段により分解された前記ＩＤ画像の他方とを合成し、この合成画像が前記記憶手段に記憶された前記ＩＤ画像と一致するか否かにより認証を行う認証手段とを含むことを特徴とする請求項１記載の認証システム。
【請求項１０】
前記移動端末は、自端末が保持する画像をバーコードに変換するバーコード生成手段と、前記バーコード生成手段により生成された前記バーコードを表示する表示手段とを有し、
前記表示手段に表示された前記バーコードを読み取るバーコード読取手段を含み、
前記移動端末から送信された画像は、前記バーコード読取手段により前記バーコードを読み取ることによって得られた画像であることを特徴とする請求項２〜４及び９いずれか記載の認証システム。
【請求項１１】
移動端末を含み認証を行う認証システムの認証方法であって、
前記移動端末毎に異なる画像をＩＤ画像として認証に用いるようにしたことを特徴とする認証方法。
【請求項１２】
前記移動端末毎に異なる画像を前記ＩＤ画像として前記認証システムの記憶手段に記憶するステップと、
前記移動端末から送信された画像が前記記憶手段に記憶された前記ＩＤ画像と一致するか否かにより認証を行う認証ステップとを含むことを特徴とする請求項１１記載の認証方法。
【請求項１３】
前記認証ステップは、前記移動端末から送信された画像の特徴と前記ＩＤ画像の特徴とを比較することにより認証を行うことを特徴とする請求項１２記載の認証方法。
【請求項１４】
前記認証ステップは、前記移動端末から送信された画像と所定の画像との差分と、前記ＩＤ画像と前記所定の画像との差分と、を比較することにより認証を行うことを特徴とする請求項１２又は１３記載の認証方法。
【請求項１５】
前記移動端末毎に異なる画像を前記ＩＤ画像として前記認証システムの記憶手段に記憶するステップと、
前記移動端末において、自端末が保持する画像の特徴を送信する送信ステップと、
前記移動端末の前記送信ステップにより送信された特徴が前記記憶手段に記憶された前記ＩＤ画像の特徴と一致するか否かにより認証を行う認証ステップとを含むことを特徴とする請求項１１記載の認証方法。
【請求項１６】
前記送信ステップは、自端末が保持する画像と所定の画像との差分を送信し、
前記認証ステップは、前記送信ステップにより送信された差分と、前記ＩＤ画像と前記所定の画像との差分と、を比較することにより認証を行うことを特徴とする請求項１５記載の認証方法。
【請求項１７】
前記移動端末において、自端末が保持する画像の特徴をバーコードに変換するバーコード生成ステップと、
前記移動端末において、前記送信ステップに代えて、前記バーコード生成ステップにより生成された前記バーコードを表示する表示ステップと、
前記表示ステップにより表示された前記バーコードを読み取るバーコード読取ステップとを含み、
前記移動端末の前記送信ステップにより送信された特徴は、前記バーコード読取ステップにより前記バーコードを読み取ることによって得られた特徴であることを特徴とする請求項１５又は１６記載の認証方法。
【請求項１８】
画像を加工する画像加工ステップを含み、
前記ＩＤ画像は前記画像加工ステップにより前記所定の画像を加工して生成したものであることを特徴とする請求項１４又は１６記載の認証方法。
【請求項１９】
前記移動端末毎に異なる画像を前記ＩＤ画像として前記認証システムの記憶手段に記憶するステップと、
前記ＩＤ画像を少なくとも２つの画像に分解する画像分解ステップと、
前記画像分解ステップにより分解された前記ＩＤ画像の一方を前記移動端末に送信する送信ステップと、
前記移動端末から送信された画像と前記画像分解ステップにより分解された前記ＩＤ画像の他方とを合成し、この合成画像が前記記憶手段に記憶された前記ＩＤ画像と一致するか否かにより認証を行う認証ステップとを含むことを特徴とする請求項１１記載の認証方法。
【請求項２０】
前記移動端末において、自端末が保持する画像をバーコードに変換するバーコード生成ステップと、
前記移動端末において、前記バーコード生成ステップにより生成された前記バーコードを表示する表示ステップと、
前記表示ステップにより表示された前記バーコードを読み取るバーコード読取ステップとを含み、
前記移動端末から送信された画像は、前記バーコード読取ステップにより前記バーコードを読み取ることによって得られた画像であることを特徴とする請求項１２〜１４及び１９いずれか記載の認証方法。
【請求項２１】
移動端末のユーザに対して認証を行う認証システムにおける認証装置であって、
前記移動端末毎に異なる画像をＩＤ画像として認証に用いるようにしたことを特徴とする認証装置。
【請求項２２】
前記移動端末毎に異なる画像を前記ＩＤ画像として記憶する記憶手段と、
前記移動端末から送信された画像が前記記憶手段に記憶された前記ＩＤ画像と一致するか否かにより認証を行う認証手段とを含むことを特徴とする請求項２１記載の認証装置。
【請求項２３】
前記認証手段は、前記移動端末から送信された画像の特徴と前記ＩＤ画像の特徴とを比較することにより認証を行うことを特徴とする請求項２２記載の認証装置。
【請求項２４】
前記認証手段は、前記移動端末から送信された画像と所定の画像との差分と、前記ＩＤ画像と前記所定の画像との差分と、を比較することにより認証を行うことを特徴とする請求項２２又は２３記載の認証装置。
【請求項２５】
前記移動端末毎に異なる画像を前記ＩＤ画像として記憶する記憶手段と、
前記移動端末が保持する画像の特徴であって前記移動端末から送信された特徴が前記記憶手段に記憶された前記ＩＤ画像の特徴と一致するか否かにより認証を行う認証手段を含むことを特徴とする請求項２１記載の認証装置。
【請求項２６】
前記移動端末から送信された特徴は、前記移動端末が保持する画像と所定の画像との差分であり、
前記認証手段は、この差分と、前記ＩＤ画像と前記所定の画像との差分と、を比較することにより認証を行うことを特徴とする請求項２５記載の認証装置。
【請求項２７】
前記移動端末の表示手段に表示された前記移動端末が保持する画像の特徴を示すバーコードを読み取るバーコード読取手段を含み、
前記移動端末から送信された特徴は、前記バーコード読取手段により前記バーコードを読み取ることによって得られた特徴であることを特徴とする請求項２５又は２６記載の認証装置。
【請求項２８】
画像を加工する画像加工手段を更に含み、
前記ＩＤ画像は前記画像加工手段が前記所定の画像を加工して生成したものであることを特徴とする請求項２４又は２６記載の認証装置。
【請求項２９】
前記移動端末毎に異なる画像を前記ＩＤ画像として記憶する記憶手段と、
前記ＩＤ画像を少なくとも２つの画像に分解する画像分解手段と、
前記画像分解手段により分解された前記ＩＤ画像の一方を前記移動端末に送信する送信手段と、
前記移動端末から送信された画像と前記画像分解手段により分解された前記ＩＤ画像の他方とを合成し、この合成画像が前記記憶手段に記憶された前記ＩＤ画像と一致するか否かにより認証を行う認証手段とを含むことを特徴とする請求項２１記載の認証装置。
【請求項３０】
前記移動端末の表示手段に表示された前記移動端末が保持する画像を示すバーコードを読み取るバーコード読取手段を含み、
前記移動端末から送信された画像は、前記バーコード読取手段により前記バーコードを読み取ることによって得られた画像であることを特徴とする請求項２２〜２４及び２９いずれか記載の認証装置。
【請求項３１】
移動端末のユーザに対して認証を行う認証システムにおける認証装置の認証方法であって、
前記移動端末毎に異なる画像をＩＤ画像として認証に用いるようにしたことを特徴とする認証方法。
【請求項３２】
前記移動端末毎に異なる画像を前記ＩＤ画像として前記認証装置の記憶手段に記憶するステップと、
前記移動端末から送信された画像が前記記憶手段に記憶された前記ＩＤ画像と一致するか否かにより認証を行う認証ステップとを含むことを特徴とする請求項３１記載の認証方法。
【請求項３３】
前記認証ステップは、前記移動端末から送信された画像の特徴と前記ＩＤ画像の特徴とを比較することにより認証を行うことを特徴とする請求項３２記載の認証方法。
【請求項３４】
前記認証ステップは、前記移動端末から送信された画像と所定の画像との差分と、前記ＩＤ画像と前記所定の画像との差分と、を比較することにより認証を行うことを特徴とする請求項３２又は３３記載の認証方法。
【請求項３５】
前記移動端末毎に異なる画像を前記ＩＤ画像として前記認証装置の記憶手段に記憶するステップと、
前記移動端末が保持する画像の特徴であって前記移動端末から送信された特徴が前記記憶手段に記憶された前記ＩＤ画像の特徴と一致するか否かにより認証を行う認証ステップを含むことを特徴とする請求項３１記載の認証方法。
【請求項３６】
前記移動端末から送信された特徴は、前記移動端末が保持する画像と所定の画像との差分であり、
前記認証ステップは、この差分と、前記ＩＤ画像と前記所定の画像との差分と、を比較することにより認証を行うことを特徴とする請求項３５記載の認証方法。
【請求項３７】
前記移動端末の表示手段に表示された前記移動端末が保持する画像の特徴を示すバーコードを読み取るバーコード読取ステップを含み、
前記移動端末から送信された特徴は、前記バーコード読取ステップにより前記バーコードを読み取ることによって得られた特徴であることを特徴とする請求項３５又は３６記載の認証方法。
【請求項３８】
画像を加工する画像加工ステップを更に含み、
前記ＩＤ画像は前記画像加工ステップにより前記所定の画像を加工して生成したものであることを特徴とする請求項３４又は３６記載の認証方法。
【請求項３９】
前記移動端末毎に異なる画像を前記ＩＤ画像として前記認証装置の記憶手段に記憶するステップと、
前記ＩＤ画像を少なくとも２つの画像に分解する画像分解ステップと、
前記画像分解ステップにより分解された前記ＩＤ画像の一方を前記移動端末に送信する送信ステップと、
前記移動端末から送信された画像と前記画像分解ステップにより分解された前記ＩＤ画像の他方とを合成し、この合成画像が前記記憶手段に記憶された前記ＩＤ画像と一致するか否かにより認証を行う認証ステップとを含むことを特徴とする請求項３１記載の認証方法。
【請求項４０】
前記移動端末の表示手段に表示された前記移動端末が保持する画像を示すバーコードを読み取るバーコード読取ステップを含み、
前記移動端末から送信された画像は、前記バーコード読取ステップにより前記バーコードを読み取ることによって得られた画像であることを特徴とする請求項３２〜３４及び３９いずれか記載の認証方法。
【請求項４１】
移動端末のユーザに対して認証を行う認証システムにおける認証装置の認証方法をコンピュータに実行させるためのプログラムであって、
前記移動端末毎に異なる画像を認証に用いるＩＤ画像として前記認証装置の記憶手段に記憶するステップと、
前記移動端末から送信された画像が前記記憶手段に記憶された前記ＩＤ画像と一致するか否かにより認証を行う認証ステップとを含むことを特徴とするプログラム。
【請求項４２】
移動端末のユーザに対して認証を行う認証システムにおける移動端末であって、
自端末に固有の画像をＩＤ画像として認証に用いるべくシステム側に送信するようにしたことを特徴とする移動端末。
【発明の詳細な説明】
【０００１】
【発明の属する技術分野】
本発明は認証システム、認証装置、移動端末、認証方法及びプログラムに関し、特に移動端末毎に異なる画像をＩＤ画像として認証に用いるようにした認証システムに関する。
【０００２】
【従来の技術】
従来の個人認証技術としては、クレジットカード等のＩＤカードをユーザに発行しこれを用いて個人認証を行う技術がある。
【０００３】
例えば、特許文献１には、ユーザの希望する画像を登録センターに登録すると共に、その画像が印刷されたＩＤカードをユーザに発行するようにして、認証時には、センターに登録された画像を店舗の端末上で表示し、これとＩＤカードの画像とを目視で比較することが記載されている。
【０００４】
また、特許文献２には、ユーザの顔写真データからバーコードを生成してＩＤカードに印刷し、認証時には、当該バーコードを読み取って顔写真をモニタ部に表示することが記載されている。
【０００５】
【特許文献１】
特開２００２−３３１７８２号公報（第４−６頁、第１図）
【０００６】
【特許文献２】
特開２０００−０７６４１１号公報（第２−４頁、第１図）
【０００７】
【発明が解決しようとする課題】
しかしながら、特許文献１に記載の技術では、ＩＤカード上に画像が表示されているため、この画像が認証に用いられるＩＤ画像であるということを第三者が容易に知ることができてしまう。また、ユーザは、ＩＤカードという認証に用いることが明らかな媒体を携帯していなければならない。
【０００８】
同様に、特許文献２に記載の技術においても、ユーザは、ＩＤカードという認証に用いることが明らかな媒体を携帯していなければならない。
【０００９】
本発明の目的は、認証に用いられるＩＤ画像を第三者に容易に知られることがない認証システム、認証装置、認証方法及びプログラムを提供することである。
【００１０】
【課題を解決するための手段】
本発明による認証システムは、移動端末を含み認証を行う認証システムであって、前記移動端末毎に異なる画像をＩＤ画像として認証に用いるようにしたことを特徴とする。また、前記認証システムにおいて、前記移動端末毎に異なる画像を前記ＩＤ画像として記憶する記憶手段と、前記移動端末から送信された画像が前記記憶手段に記憶された前記ＩＤ画像と一致するか否かにより認証を行う認証手段とを含むことを特徴とする。
【００１１】
本発明による認証方法は、移動端末を含み認証を行う認証システムの認証方法であって、前記移動端末毎に異なる画像をＩＤ画像として認証に用いるようにしたことを特徴とする。また、前記認証方法において、前記移動端末毎に異なる画像を前記ＩＤ画像として前記認証システムの記憶手段に記憶するステップと、前記移動端末から送信された画像が前記記憶手段に記憶された前記ＩＤ画像と一致するか否かにより認証を行う認証ステップとを含むことを特徴とする。
【００１２】
本発明による認証装置は、移動端末のユーザに対して認証を行う認証システムにおける認証装置であって、前記移動端末毎に異なる画像をＩＤ画像として認証に用いるようにしたことを特徴とする。また、前記認証装置において、前記移動端末毎に異なる画像を前記ＩＤ画像として記憶する記憶手段と、前記移動端末から送信された画像が前記記憶手段に記憶された前記ＩＤ画像と一致するか否かにより認証を行う認証手段とを含むことを特徴とする。
【００１３】
本発明による別の認証方法は、移動端末のユーザに対して認証を行う認証システムにおける認証装置の認証方法であって、前記移動端末毎に異なる画像をＩＤ画像として認証に用いるようにしたことを特徴とする。また、前記別の認証方法において、前記移動端末毎に異なる画像を前記ＩＤ画像として前記認証装置の記憶手段に記憶するステップと、前記移動端末から送信された画像が前記記憶手段に記憶された前記ＩＤ画像と一致するか否かにより認証を行う認証ステップとを含むことを特徴とする。
【００１４】
本発明によるプログラムは、移動端末のユーザに対して認証を行う認証システムにおける認証装置の認証方法をコンピュータに実行させるためのプログラムであって、前記移動端末毎に異なる画像を認証に用いるＩＤ画像として前記認証装置の記憶手段に記憶するステップと、前記移動端末から送信された画像が前記記憶手段に記憶された前記ＩＤ画像と一致するか否かにより認証を行う認証ステップとを含むことを特徴とする。
【００１５】
本発明による移動端末は、移動端末のユーザに対して認証を行う認証システムにおける移動端末であって、自端末に固有の画像をＩＤ画像として認証に用いるべくシステム側に送信するようにしたことを特徴とする。
【００１６】
このように、本発明では、移動端末のユーザに対する認証のために、移動端末毎に異なる画像をＩＤ画像として認証に用いるようにして、移動端末から送信された画像がＩＤ画像と一致するか否かにより認証を行うようにしており、第三者は移動端末内の特定の画像が認証に用いるＩＤ画像であるということは容易に類推できず、また、ユーザはＩＤ画像として登録されている画像がどれであるか容易に覚えておくことができる。
【００１７】
【発明の実施の形態】
以下に、本発明の実施例について図面を参照して説明する。なお、以下に示す全ての図面において、同等部分は同一符号にて示している。
【００１８】
図１は本発明の第１の実施例による認証システムの構成を示す図である。図１において、本発明の第１の実施例による認証システムは、携帯電話機等の移動端末であるユーザ端末  （ＭＳ）１と、インターネットや携帯電話網である通信ネットワーク１０に接続され、認証を必要とするサービスをユーザに提供する店舗に設置された店舗装置２と、通信ネットワーク１０に接続され認証を行う認証サーバ３と、通信ネットワーク１０に接続された基地局  （ＢＳ）４とを有している。
【００１９】
図２は図１のユーザ端末１の構成を示す図である。図２において、ユーザ端末１は、基地局４及び通信ネットワーク１０を介して通信を行うためのアンテナ１２及び無線部１３と、赤外線通信部１４と、撮像部１５と、操作部１６と、記憶部１７と、表示部１８と、これら各部を制御する制御部１１とを有している。
【００２０】
図３は図１の店舗装置２の構成を示す図である。図３において、店舗装置２は、表示部２２と、赤外線通信部２３と、記憶部２４と、通信ネットワーク１０を介した通信を行うための通信部２５と、これら各部を制御する制御部２１とを有している。
【００２１】
図４は図１の認証サーバ３の構成を示す図である。図４において、認証サーバ３は、認証を行う認証部２２と、画像の特徴を抽出する特徴抽出部３３と、記憶部３４と、通信ネットワーク１０を介した通信を行うための通信部３５と、これら各部を制御する制御部３１とを有している。
【００２２】
次に、本発明の第１の実施例による認証システムの動作について説明する。図５は本発明の第１の実施例による認証システムの動作を示すシーケンス図である。ユーザ端末１の記憶部１７には、予め画像が記憶されているものとする。図５において、ユーザは、操作部１６を用いて記憶部１７内に記憶されている画像からユニークな画像（例えば、撮像部１５を用いて撮影された画像やユーザが作成した絵等の画像）を選択する（ステップＡ１）。ユーザ端末１は、基地局４及び通信ネットワーク１０を介して、選択された画像（基本画像）を認証サーバ３に送信する（ステップＡ２、登録要求）。
【００２３】
認証サーバ３は、ユーザ端末１からの基本画像を受信すると、ステップＡ３の登録処理を行う。この登録処理は図８に示されている。図８において、認証サーバ３の制御部３１は、受信された基本画像をユーザ端末１のユーザ認証に用いるＩＤ画像として記憶部３４に保存する（ステップＳ１）。このとき、基本画像は、ユーザ端末１の端末ＩＤと対応付けて記憶部３４に保存されるものとする。なお、ユーザ端末１の端末ＩＤは例えば、ユーザ端末１の電話番号やユーザ端末１のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ：国際移動機体番号）  であり、ユーザ端末１から基本画像を受信する際に同時に受信される。ユーザ端末１の電子メールアドレスを用いてもよく、この場合、ユーザ端末１は電子メールで基本画像を認証サーバ３に送信する。端末ＩＤの代わりに、受信された基本画像の特定の位置のデータを用いて、このデータと基本画像とを対応付けて記録するようにしてもよい。
【００２４】
次に、認証サーバ３の特徴抽出部３３は受信された基本画像の特徴を抽出し、抽出された特徴データが受信された基本画像と対応付けて記憶部３４に保存される（ステップＳ２）。画像の特徴としては例えば、画像の所定位置のＲＧＢ値、画像の所定範囲の色の平均、あるいは画像の被写体を認識できる場合には被写体の形状や被写体が画像全体で占める割合等が考えられるが、これに限定されるものではない。
【００２５】
図５に戻り、認証サーバ３はステップＡ３の登録処理の後、通信ネットワーク１０及び基地局４を介して登録処理の完了をユーザ端末１に通知する（ステップＡ４、登録完了）。
【００２６】
ここで、ユーザ端末１のユーザがサービスを受けるために店舗装置２が設置された店舗に行った場合、認証を受けるためにまず、ユーザは操作部１６を用いて記憶部１７内の画像から認証サーバ３において登録されたＩＤ画像を選択し（ステップＡ５）、ユーザ端末１の赤外線通信部１４から赤外線信号によりＩＤ画像を店舗装置２に送信する（ステップＡ６、認証要求）。このとき、ＩＤ画像と共にユーザ端末１の端末ＩＤも赤外線信号により送信されるものとする。なお、ステップＡ６において、赤外線通信部１４を用いることなく、基地局４及び通信ネットワーク１０を介して店舗装置２にＩＤ画像を送信するようにしてもよい。
【００２７】
店舗装置２は、赤外線通信部２３によりユーザ端末１からのＩＤ画像及び端末ＩＤを受信すると、通信ネットワーク１０を介して認証サーバ３に転送して認証を要求する（ステップＡ７、認証要求）。
【００２８】
認証サーバ３は、店舗装置２からの認証要求に応答して、ステップＡ８の認証処理を行う。この認証処理は図９に示されている。図９において、認証サーバ３の特徴抽出部３３は受信されたＩＤ画像の特徴を抽出し（ステップＳ３）、認証部３２が、この抽出された特徴データと、受信された端末ＩＤと対応付けて記憶部３４に記憶されている特徴データとを照合して認証を行う（ステップＳ４）。
【００２９】
図５に戻り、認証サーバ３はステップＡ８の認証処理の後、認証結果を通信ネットワーク１０を介して店舗装置２に送信する（ステップＡ９、認証完了）。認証結果が受信されると、店舗装置２の表示部２２に認証結果が表示される（ステップＡ１０）。
【００３０】
次に、本発明の第１の実施例による認証システムの別の動作例について説明する。図６は本発明の第１の実施例による認証システムの別の動作例を示すシーケンス図である。図６の動作例が図５の動作例と異なる点は、ステップＡ５の後にユーザ端末１が、選択したＩＤ画像を赤外線通信部１４により店舗装置２に送信するのではなく、基地局４及び通信ネットワーク１０を介して認証サーバ３に直接送信するようにしている点である（ステップＡ１１、認証要求）。その他の動作は図５と同様である。
【００３１】
次に、本発明の第１の実施例による認証システムの更に別の動作例について説明する。図７は本発明の第１の実施例による認証システムの更に別の動作例を示すシーケンス図である。図７の動作例が図５の動作例と異なる点は、ステップＡ１の後にユーザ端末１が、選択した基本画像を認証サーバ３に送信するのではなく、赤外線通信部１４を用いて店舗装置２に送信し（ステップＡ１２、登録要求）、店舗装置２が通信ネットワーク１０を介して転送する（ステップＡ１３、登録要求）ようにしている点である。なお、ステップＡ１２において、赤外線通信部１４を用いることなく、基地局４及び通信ネットワーク１０を介して店舗装置２に選択した基本画像を送信するようにしてもよい。その他の動作は図５と同様である。
【００３２】
以上説明したように本発明の第１の実施例では、ユーザ端末１が保持する画像が認証に用いるＩＤ画像として登録され、認証時にはユーザ端末１からシステム側に自端末が保持する画像を送信することで認証が行われる。したがって、ＩＤカードという認証に用いることが明らかな媒体上に印刷された画像を認証に用いる従来の技術と異なり、第三者はユーザ端末１内のどの画像がＩＤ画像であるか容易に類推できないのである。
なお、上記図５〜７に示した各シーケンスに従ったユーザ端末１、店舗装置２及び認証サーバ３各々の処理動作は、予めＲＯＭ等の記憶媒体に格納されたプログラムを、ＣＰＵ（制御部）となるコンピュータに読み取らせて実行せしめることにより、実現できることは勿論である。
【００３３】
次に、本発明の第２の実施例による認証システムについて説明する。図１０は本発明の第２の実施例による認証システムの構成を示す図である。図１０において、本発明の第２の実施例による認証システムは、ユーザ端末１及び基地局４に加えて、通信ネットワーク１０に接続され、認証を必要とするサービスをユーザに提供する店舗に設置され、認証を行う店舗装置５を有している。
【００３４】
図１０のユーザ端末１の構成は図２の構成と同様である。図１０の店舗装置５の構成は図１１に示されている。図１１において、店舗装置５は、認証を行う認証部５２と、画像の特徴を抽出する特徴抽出部５３と、赤外線通信部５４と、表示部５５と、記憶部５６と、通信ネットワーク１０を介した通信を行うための通信部５７と、これら各部を制御する制御部５１とを有している。
【００３５】
本発明の第２の実施例による認証システムの動作が図１２に示されている。図１２において、ユーザは、操作部１６を用いて記憶部１７内に記憶されている画像からユニークな画像（例えば、撮像部１５を用いて撮影された画像やユーザが作成した絵等の画像）を選択する（ステップＡ２１）。ユーザ端末１は、基地局４及び通信ネットワーク１０を介して、選択された画像（基本画像）を店舗装置５に送信する（ステップＡ２２、登録要求）。
【００３６】
店舗装置５は、ユーザ端末１からの基本画像を受信すると、ステップＡ２３の登録処理を行う。この登録処理は図８に示されている。図８において、店舗装置５の制御部５１は、受信された基本画像をユーザ端末１のユーザ認証に用いるＩＤ画像として記憶部５６に保存する（ステップＳ１）。このとき、基本画像は、図５のステップＡ３におけると同様に、ユーザ端末１の端末ＩＤと対応付けて記憶部３４に保存されるものとする。次に、店舗装置５の特徴抽出部５３は受信された基本画像の特徴を抽出し、抽出された特徴データが受信された基本画像と対応付けて記憶部５６に保存される（ステップＳ２）。
【００３７】
図１２に戻り、店舗装置５はステップＡ２３の登録処理の後、通信ネットワーク１０及び基地局４を介して登録処理の完了をユーザ端末１に通知する（ステップＡ２４、登録完了）。
【００３８】
ここで、ユーザ端末１のユーザがサービスを受けるために店舗装置５が設置された店舗に行った場合、認証を受けるためにまず、ユーザは操作部１６を用いて記憶部１７内の画像から店舗装置５において登録されたＩＤ画像を選択し（ステップＡ２５）、ユーザ端末１の赤外線通信部１４から赤外線信号によりＩＤ画像を店舗装置５に送信して認証を要求する（ステップＡ２６、認証要求）。このとき、ＩＤ画像と共にユーザ端末１の端末ＩＤも赤外線信号により送信されるものとする。なお、ステップＡ２６において、赤外線通信部１４を用いることなく、基地局４及び通信ネットワーク１０を介して店舗装置５にＩＤ画像を送信するようにしてもよい。
【００３９】
店舗装置５は、ユーザ端末１からの認証要求に応答して、ステップＡ２７の認証処理を行う。この認証処理は図９に示されている。図９において、店舗装置５の特徴抽出部５３は受信されたＩＤ画像の特徴を抽出し（ステップＳ３）、認証部５２が、この抽出された特徴データと、受信された端末ＩＤと対応付けて記憶部５６に記憶されている特徴データとを照合して認証を行う（ステップＳ４）。
【００４０】
図１２に戻り、ステップＡ２７の認証処理の後、認証結果が店舗装置５の表示部５５に表示される（ステップＡ２８）。
【００４１】
なお、上記図１２に示したシーケンスに従ったユーザ端末１及び店舗装置５各々の処理動作は、予めＲＯＭ等の記憶媒体に格納されたプログラムを、ＣＰＵ（制御部）となるコンピュータに読み取らせて実行せしめることにより、実現できることは勿論である。
【００４２】
図５〜７及び１２に示した各動作例では、認証時にユーザ端末１が自端末が保持するＩＤ画像をシステム側に送信し、認証装置（認証サーバ３または店舗装置５）がユーザ端末１からの画像の特徴を抽出して記憶部内の特徴データと照合するようにしていたが、認証時にユーザ端末１は自端末が保持するＩＤ画像の特徴データをシステム側に送信するようにしてもよい。
【００４３】
この場合、図５〜７のステップＡ４及び図１２のステップＡ２４において、ステップＡ３（ステップＡ２３）の登録処理で抽出された特徴データをユーザ端末１に送信する。そして、ユーザはステップＡ５（ステップＡ２５）において当該特徴データを選択し、当該特徴データがステップＡ６（ステップＡ１１，Ａ２５）において画像の代わりに送信され、認証装置はステップＡ８（ステップＡ２７）の認証処理において、受信された当該特徴データと記憶部の特徴データとを照合して認証を行うことになる。これにより、認証装置がステップＡ８（ステップＡ２７）の認証処理において受信画像の特徴を抽出することが不要となる。
【００４４】
また、図５〜７及び１２に示した各動作例では、認証装置は画像から特徴を抽出することにより、ユーザ端末１から認証のために送信された画像の特徴と予め登録されているＩＤ画像の特徴とを照合して、両画像が一致するか否かを判断しているが、画像の特徴を抽出するのではなく両画像の全体同士またはある部分同士を比較して一致するか否かを判断するようにしてもよい。
【００４５】
この場合、図５〜７のステップＡ３及び図１２のステップＡ２３の登録処理において、認証装置は図８のステップＳ２の処理を行わず、また、図５〜７のステップＡ８及び図１２のステップＡ２７の認証処理において、認証装置は図９のステップＳ３の処理を行わず、ステップＳ４でユーザ端末１からの受信画像の全体と予め登録されているＩＤ画像の全体とを比較して（あるいは両画像の部分同士を比較して）、両画像が一致するか否かを判断する。
【００４６】
また、図５〜７及び１２に示した各動作例では、登録時に認証装置は、ユーザ端末１の端末ＩＤと対応付けてユーザ端末１からの基本画像を認証に用いるＩＤ画像として記憶部に登録するようにしているが、端末ＩＤを用いないようにしてもよい。
【００４７】
この場合、図５〜７のステップＡ３及び図１２のステップＡ２３の登録処理において、ユーザ端末１からの基本画像がＩＤ画像として登録される際、端末ＩＤと対応付けて登録されないので、図５〜７のステップＡ８及び図１２のステップＡ２７の認証処理における図９のステップＳ４で、認証装置は、ユーザ端末１からの受信画像の特徴を予め登録されている全ＩＤ画像それぞれの特徴と順次照合していくことになる。
【００４８】
次に、本発明の第３の実施例による認証システムについて説明する。本発明の第３の実施例では、認証システムの構成は図１の構成と同様であり、認証サーバ３の構成は図４の構成と同様である。しかしながら、本発明の第３の実施例では、店舗装置２の構成は図３の構成ではなく図１１の構成と同様であり、また、ユーザ端末１の構成は図２の構成と異なる。
【００４９】
本発明の第３の実施例におけるユーザ端末１の構成は図１３に示されている。図１３において、ユーザ端末１は、アンテナ１２と、無線部１３と、赤外線通信部１４と、撮像部１５と、操作部１６と、記憶部１７と、表示部１８と、画像の特徴を抽出する特徴抽出部１９と、これら各部を制御する制御部１１とを有している。すなわち、本発明の第３の実施例におけるユーザ端末１は、図２の構成に加えて、さらに特徴抽出部１９を有している。
【００５０】
次に、本発明の第３の実施例による認証システムの動作について説明する。図１４は本発明の第３の実施例による認証システムの動作を示すシーケンス図である。図１４において、ユーザは、操作部１６を用いて記憶部１７内に記憶されている画像からユニークな画像（例えば、撮像部１５を用いて撮影された画像やユーザが作成した絵等の画像）を選択する（ステップＢ１）。ユーザ端末１は、基地局４及び通信ネットワーク１０を介して、選択された画像（基本画像）を認証サーバ３に送信する（ステップＢ２、登録要求）。
【００５１】
認証サーバ３は、ユーザ端末１からの基本画像を受信すると、この基本画像をユーザ端末１のユーザ認証に用いるＩＤ画像として記憶部３４に保存する（ステップＢ３）。このとき、基本画像は、ユーザ端末１の端末ＩＤと対応付けて記憶部３４に保存されるものとする。そして、認証サーバ３は、通信ネットワーク１０及び基地局４を介して登録の完了をユーザ端末１に通知する（ステップＢ４、登録完了）。
【００５２】
ここで、ユーザ端末１のユーザがサービスを受けるために店舗装置２が設置された店舗に行った場合、認証を受けるためにユーザの指示に応答して、ユーザ端末１は店舗装置２に認証を要求する（ステップＢ５、認証要求）。この認証要求は、赤外線通信部１４を用いて行ってもよいし、基地局４及び通信ネットワーク１０を介して行ってもよいが、いずれの場合であっても店舗装置２は認証要求と共にユーザ端末１の端末ＩＤを受信するものとする。
【００５３】
店舗装置２は、ユーザ端末１からの認証要求に応答して特徴抽出を認証サーバ３に要求する（ステップＢ６、特徴抽出要求）。このとき同時に、店舗装置２はユーザ端末１の端末ＩＤを認証サーバ３に送信する。認証サーバ３は、特徴抽出要求に応答してステップＢ７の特徴抽出処理を行う。この特徴抽出処理は図１７に示されている。
【００５４】
図１７において、認証サーバ３の制御部３１は、特徴抽出条件（例えば、画像のある位置のＲＧＢ値を抽出）を定め（ステップＳ５）、特徴抽出部３３は、この条件に従ってユーザ端末１の端末ＩＤに対応付けられたＩＤ画像の特徴を抽出する（ステップＳ６）。
【００５５】
図１４に戻り、認証サーバ３はステップＢ７の特徴抽出処理の後、通信ネットワーク１０を介して、抽出された特徴データ及び特徴抽出条件を店舗装置２に送信する（ステップＢ８）。そして、店舗装置２は特徴抽出条件のみをユーザ端末１に送信する（ステップＢ９）。これは、赤外線通信部５４を用いて行ってもよいし、基地局４及び通信ネットワーク１０を介して行ってもよい。
【００５６】
店舗装置２からの特徴抽出条件の受信に応答してユーザが記憶部１７からＩＤ画像を選択することにより、ユーザ端末１の特徴抽出部１９は特徴抽出条件に従って、選択されたＩＤ画像の特徴を抽出し（ステップＢ１０）、ユーザ端末１は抽出された特徴データを店舗装置２に送信する（ステップＢ１１）。これは、赤外線通信部１４を用いて行ってもよいし、基地局４及び通信ネットワーク１０を介して行ってもよい。
【００５７】
店舗装置２の認証部５２は、ユーザ端末１からの特徴データをステップＢ８において受信された特徴データと照合して認証を行い（ステップＢ１２）、その認証結果が表示部５５に表示される（ステップＢ１３）。
【００５８】
次に、本発明の第３の実施例による認証システムの別の動作例について説明する。図１５は本発明の第１の実施例による認証システムの別の動作例を示すシーケンス図である。ただし、この動作例では、店舗装置２の構成は図１１の構成でもよいが、認証部５２が不要であり、図３の構成と同様であってもよいので、ここでは店舗装置２の構成は図３の構成と同様として説明する。
【００５９】
図１５の動作例では、ステップＢ１〜Ｂ５までの動作が図１４の動作例と同様である。図１５において、ステップＢ５の後、店舗装置２は、ユーザ端末１からの認証要求を通信ネットワーク１０を介して認証サーバ３に転送する（ステップＢ１４、認証要求）。このとき同時に、店舗装置２はユーザ端末１の端末ＩＤを認証サーバ３に送信する。すなわち、図１４のステップＢ６は「特徴抽出要求」であるのに対してステップＢ１４は「認証要求」であるが、両ステップの動作は同じである。
【００６０】
認証サーバ３は認証要求に応答して、ステップＢ７の特徴抽出処理を行う。認証サーバ３はステップＢ７の特徴抽出処理の後、通信ネットワーク１０及び基地局４を介して、特徴抽出条件をユーザ端末１に送信する（ステップＢ１５）。そして、ユーザ端末１は、ステップＢ１０において特徴抽出条件に従って抽出された特徴データを、基地局４及び通信ネットワーク１０を介して認証サーバ３に送信する（ステップＢ１６）。
【００６１】
認証サーバ３の認証部３２は、ユーザ端末１からの特徴データをステップＢ７の特徴抽出処理で抽出された特徴データと照合して認証を行い（ステップＢ１７）、その認証結果は通信ネットワーク１０を介して店舗装置２に送信される（ステップＢ１８、認証完了）。そして、店舗装置の表示部１８に認証結果が表示される（ステップＢ１３）。
【００６２】
なお、上記図１４及び１５に示した各シーケンスに従ったユーザ端末１、店舗装置２及び認証サーバ３各々の処理動作は、予めＲＯＭ等の記憶媒体に格納されたプログラムを、ＣＰＵ（制御部）となるコンピュータに読み取らせて実行せしめることにより、実現できることは勿論である。
【００６３】
次に、本発明の第４の実施例による認証システムについて説明する。本発明の第４の実施例では、認証システムの構成は図１０の構成と同様であり、ユーザ端末１の構成は図１３の構成と同様であり、店舗装置５の構成は図１１の構成と同様である。
【００６４】
本発明の第４の実施例による認証システムの動作が図１６に示されている。図１６において、ユーザは、操作部１６を用いて記憶部１７内に記憶されている画像からユニークな画像（例えば、撮像部１５を用いて撮影された画像やユーザが作成した絵等の画像）を選択する（ステップＢ２１）。ユーザ端末１は、基地局４及び通信ネットワーク１０を介して、選択された画像（基本画像）を店舗装置５に送信する（ステップＢ２２、登録要求）。
【００６５】
店舗装置５は、ユーザ端末１からの基本画像を受信すると、この基本画像をユーザ端末１のユーザ認証に用いるＩＤ画像として記憶部５６に保存する（ステップＢ２３）。このとき、基本画像は、ユーザ端末１の端末ＩＤと対応付けて記憶部５６に保存されるものとする。そして、店舗装置５は、登録の完了をユーザ端末１に通知する（ステップＢ２４、登録完了）。これは、赤外線通信部５４を用いて行ってもよいし、基地局４及び通信ネットワーク１０を介して行ってもよい。
【００６６】
ここで、ユーザ端末１のユーザがサービスを受けるために店舗装置５が設置された店舗に行った場合、認証を受けるためにユーザの指示に応答して、ユーザ端末１は店舗装置５に認証を要求する（ステップＢ２５、認証要求）。これは、赤外線通信部１４を用いて行ってもよいし、基地局４及び通信ネットワーク１０を介して行ってもよいが、いずれの場合であっても店舗装置５は認証要求と共にユーザ端末１の端末ＩＤを受信するものとする。
【００６７】
店舗装置５は、ユーザ端末１からの認証要求に応答してステップＢ２６の特徴抽出処理を行う。この特徴抽出処理は図１７に示されている。図１７において、店舗装置５の制御部５１は、特徴抽出条件（例えば、画像のある位置のＲＧＢ値を抽出）を定め（ステップＳ５）、特徴抽出部５３は、この条件に従ってユーザ端末１の端末ＩＤに対応付けられたＩＤ画像の特徴を抽出する（ステップＳ６）。
【００６８】
図１６に戻り、店舗装置５はステップＢ２６の特徴抽出処理の後、特徴抽出条件をユーザ端末１に送信する（ステップＢ２７）。これは、赤外線通信部５４を用いて行ってもよいし、基地局４及び通信ネットワーク１０を介して行ってもよい。
【００６９】
店舗装置５からの特徴抽出条件の受信に応答してユーザが記憶部１７からＩＤ画像を選択することにより、ユーザ端末１の特徴抽出部１９は特徴抽出条件に従って、選択されたＩＤ画像の特徴を抽出し（ステップＢ２８）、ユーザ端末１は抽出された特徴データを店舗装置５に送信する（ステップＢ２９）。これは、赤外線通信部１４を用いて行ってもよいし、基地局４及び通信ネットワーク１０を介して行ってもよい。
【００７０】
店舗装置５の認証部５２は、ユーザ端末１からの特徴データをステップＢ２６の特徴抽出処理で抽出された特徴データと照合して認証を行い（ステップＢ３０）、その認証結果が表示部５５に表示される（ステップＢ３１）。
【００７１】
なお、上記図１６に示したシーケンスに従ったユーザ端末１及び店舗装置５各々の処理動作は、予めＲＯＭ等の記憶媒体に格納されたプログラムを、ＣＰＵ（制御部）となるコンピュータに読み取らせて実行せしめることにより、実現できることは勿論である。
【００７２】
図１４〜１６に示した各動作例では、ユーザ端末１の端末ＩＤを用いているが、端末ＩＤを用いないようにしてもよい。この場合、図１４〜１６のステップＢ３及びステップＢ２３において、ユーザ端末１からの基本画像がＩＤ画像として登録される際、端末ＩＤと対応付けて登録されず、図１４〜１６のステップＢ７及びステップＢ２６の特徴抽出処理では抽出条件に従って、予め登録されている全ＩＤ画像それぞれの特徴が抽出され、図１４〜１６のステップＢ１２、ステップＢ１７及びステップＢ３０において、ユーザ端末１からの特徴データを全ＩＤ画像それぞれの特徴データと順次照合していくことになる。
【００７３】
次に、本発明の第５の実施例による認証システムについて説明する。本発明の第５の実施例では、認証システムの構成は図１の構成と同様であり、ユーザ端末１の構成は図２の構成と同様であり、店舗装置２の構成は図３の構成と同様である。しかしながら、本発明の第５の実施例では、認証サーバ３の構成は図４の構成と異なる。
【００７４】
本発明の第５の実施例における認証サーバ３の構成は図１８に示されている。図１８において、認証サーバ３は、認証部３２と、記憶部３４と、通信部３５と、画像を加工する画像加工部３６と、２つの画像間の差分を算出する差分算出部３７と、これら各部を制御する制御部３１とを有している。すなわち、本発明の第５の実施例における認証サーバ３は、図４の構成において、特徴抽出部３３に代えて画像加工部３６及び差分算出部３７を設けたものである。
【００７５】
次に、本発明の第５の実施例による認証システムの動作について説明する。図１９は本発明の第５の実施例による認証システムの動作を示すシーケンス図である。図１９において、ユーザは、操作部１６を用いて記憶部１７内に記憶されている画像から一つを選択する（ステップＣ１）。ここで選択される画像（基本画像：ＩＤ画像作成に用いられる画像）としては、例えば基地局４及び通信ネットワークを介して図示せぬサーバからダウンロードしてきた画像等が考えられる。ユーザ端末１は、基地局４及び通信ネットワーク１０を介して、選択された画像（基本画像）を認証サーバ３に送信する（ステップＣ２、登録要求）。
【００７６】
認証サーバ３は、ユーザ端末１からの基本画像を受信すると、ステップＣ３の登録処理を行う。この登録処理は図２２に示されている。図２２において、認証サーバ３の制御部３１は、受信された基本画像を記憶部３４に保存する（ステップＳ７）。このとき、基本画像は、ユーザ端末１の端末ＩＤと対応付けて記憶部３４に保存されるものとする。
【００７７】
次に、認証サーバ３の画像加工部３６は基本画像を加工して、ユーザ端末１のユーザ認証に用いるＩＤ画像であるユニークな画像を作成する（ステップＳ８）。例えば、基本画像の一部の色を変える、基本画像に新たな画像を重畳または埋め込む、基本画像の寸法、縦横比を変えるなどが考えられる。これにより、もし、別の端末からも登録要求があって当該別の端末から受信された基本画像がユーザ端末１から受信された基本画像と同一であっても、画像加工部３６は互いに異なるユニークな画像を作成する。
【００７８】
次に、認証サーバ３の差分算出部３７は、生成されたユーザ端末１のＩＤ画像とユーザ端末１から受信された基本画像との差分を算出する（ステップＳ９）。ユーザ端末１のＩＤ画像及び算出された差分データは、ユーザ端末１の端末ＩＤと対応付けて記憶部３４に保存される（ステップＳ１０）。
【００７９】
図１９に戻り、認証サーバ３はステップＣ３の登録処理の後、通信ネットワーク１０及び基地局４を介して、生成されたユーザ端末１のＩＤ画像をユーザ端末１に送信する（ステップＣ４、登録完了）。
【００８０】
ここで、ユーザ端末１のユーザがサービスを受けるために店舗装置２が設置された店舗に行った場合、認証を受けるためにまず、ユーザは操作部１６を用いて記憶部１７内の画像から認証サーバ３において登録されたＩＤ画像を選択し（ステップＣ５）、ユーザ端末１の赤外線通信部１４から赤外線信号によりＩＤ画像を店舗装置２に送信する（ステップＣ６、認証要求）。このとき、ＩＤ画像と共にユーザ端末１の端末ＩＤも赤外線信号により送信されるものとする。なお、ステップＣ６において、赤外線通信部１４を用いることなく、基地局４及び通信ネットワーク１０を介して店舗装置２にＩＤ画像を送信するようにしてもよい。
【００８１】
店舗装置２は、赤外線通信部２３によりユーザ端末１からのＩＤ画像及び端末ＩＤを受信すると、通信ネットワーク１０を介して認証サーバ３に転送して認証を要求する（ステップＣ７、認証要求）。
【００８２】
認証サーバ３は、店舗装置２からの認証要求に応答して、ステップＣ８の認証処理を行う。この認証処理は図２３に示されている。図２３において、認証サーバ３の差分算出部３７は、受信されたＩＤ画像と、ユーザ端末１の端末ＩＤに対応付けて記憶されている基本画像との差分を算出する（ステップＳ１１）。そして、認証部３２が、この算出された差分データと、ユーザ端末１の端末ＩＤと対応付けて記憶部３４に記憶されている差分データとを照合して認証を行う（ステップＳ１２）。
【００８３】
図１９に戻り、認証サーバ３はステップＣ８の認証処理の後、認証結果を通信ネットワーク１０を介して店舗装置２に送信する（ステップＣ９、認証完了）。認証結果が受信されると、店舗装置２の表示部２２に認証結果が表示される（ステップＣ１０）。
【００８４】
次に、本発明の第５の実施例による認証システムの別の動作例について説明する。図２０は本発明の第５の実施例による認証システムの別の動作例を示すシーケンス図である。図２０の動作例が図１９の動作例と異なる点は、ステップＣ５の後にユーザ端末１が、選択したＩＤ画像を赤外線通信部１４により店舗装置２に送信するのではなく、基地局４及び通信ネットワーク１０を介して認証サーバ３に直接送信するようにしている点である（ステップＣ１１、認証要求）。その他の動作は図１９と同様である。
【００８５】
次に、本発明の第５の実施例による認証システムの更に別の動作例について説明する。図２１は本発明の第５の実施例による認証システムの更に別の動作例を示すシーケンス図である。図２１の動作例が図１９の動作例と異なる点は、ステップＣ１の後にユーザ端末１が、選択した基本画像を認証サーバ３に送信するのではなく、赤外線通信部１４を用いて店舗装置２に送信し（ステップＣ１２、登録要求）、店舗装置２が通信ネットワーク１０を介して転送する（ステップＣ１３、登録要求）ようにしている点である。なお、ステップＣ１２において、赤外線通信部１４を用いることなく、基地局４及び通信ネットワーク１０を介して店舗装置２に選択した基本画像を送信するようにしてもよい。その他の動作は図１９と同様である。
【００８６】
なお、上記図１９〜２１に示した各シーケンスに従ったユーザ端末１、店舗装置２及び認証サーバ３各々の処理動作は、予めＲＯＭ等の記憶媒体に格納されたプログラムを、ＣＰＵ（制御部）となるコンピュータに読み取らせて実行せしめることにより、実現できることは勿論である。
【００８７】
次に、本発明の第６の実施例による認証システムについて説明する。本発明の第６の実施例では、認証システムの構成は図１０の構成と同様であり、ユーザ端末の構成は図２の構成と同様であるが、店舗装置５の構成が図１１の構成と異なる。本発明の第６の実施例における店舗装置５の構成は図２４に示されている。
【００８８】
図２４において、店舗装置５は、認証部５２と、赤外線通信部５４と、表示部５５と、記憶部５６と、通信部５７と、画像を加工する画像加工部５８と、２つの画像間の差分を算出する差分算出部５９と、これら各部を制御する制御部５１とを有している。すなわち、本発明の第６の実施例における店舗装置５の構成は、図１１の構成において特徴抽出部５３の代わりに画像加工部５８及び差分算出部５９を設けたものである。
【００８９】
次に、本発明の第６の実施例による認証システムの動作について説明する。図２５は本発明の第６の実施例による認証システムの動作を示すシーケンス図である。図２５において、ユーザは、操作部１６を用いて記憶部１７内に記憶されている画像から一つを選択する（ステップＣ２１）。ここで選択される画像（基本画像）としては、例えば基地局４及び通信ネットワークを介して図示せぬサーバからダウンロードしてきた画像等が考えられる。ユーザ端末１は、基地局４及び通信ネットワーク１０を介して、選択された画像（基本画像）を店舗装置５に送信する（ステップＣ２２、登録要求）。
【００９０】
店舗装置５は、ユーザ端末１からの基本画像を受信すると、ステップＣ２３の登録処理を行う。この登録処理は図２２に示されている。図２２において、店舗装置５の制御部５１は、受信された基本画像を記憶部５６に保存する（ステップＳ７）。このとき、基本画像は、ユーザ端末１の端末ＩＤと対応付けて記憶部３４に保存されるものとする。
【００９１】
次に、店舗装置５の画像加工部５８は基本画像を加工して、ユーザ端末１のユーザ認証に用いるＩＤ画像であるユニークな画像を作成する（ステップＳ８）。そして、店舗装置５の差分算出部５９は、生成されたユーザ端末１のＩＤ画像とユーザ端末１から受信された基本画像との差分を算出する（ステップＳ９）。ユーザ端末１のＩＤ画像及び算出された差分データは、ユーザ端末１の端末ＩＤと対応付けて記憶部５６に保存される（ステップＳ１０）。
【００９２】
図２５に戻り、店舗装置５はステップＣ２３の登録処理の後、通信ネットワーク１０及び基地局４を介して、生成されたユーザ端末１のＩＤ画像をユーザ端末１に送信する（ステップＣ２４、登録完了）。
【００９３】
ここで、ユーザ端末１のユーザがサービスを受けるために店舗装置５が設置された店舗に行った場合、認証を受けるためにまず、ユーザは操作部１６を用いて記憶部１７内の画像から店舗装置５において登録されたＩＤ画像を選択し（ステップＣ２５）、ユーザ端末１の赤外線通信部１４から赤外線信号によりＩＤ画像を店舗装置５に送信する（ステップＣ２６、認証要求）。このとき、ＩＤ画像と共にユーザ端末１の端末ＩＤも赤外線信号により送信されるものとする。なお、ステップＣ２６において、赤外線通信部１４を用いることなく、基地局４及び通信ネットワーク１０を介して店舗装置５にＩＤ画像を送信するようにしてもよい。
【００９４】
店舗装置５は、ユーザ端末１からの認証要求に応答して、ステップＣ２７の認証処理を行う。この認証処理は図２３に示されている。図２３において、店舗装置５の差分算出部５９は、受信されたＩＤ画像と、ユーザ端末１の端末ＩＤに対応付けて記憶されている基本画像との差分を算出する（ステップＳ１１）。そして、認証部５２が、この算出された差分データと、ユーザ端末１の端末ＩＤと対応付けて記憶部５６に記憶されている差分データとを照合して認証を行う（ステップＳ１２）。
【００９５】
図２５に戻り、ステップＣ２７の認証処理の後、店舗装置５の表示部５５に認証結果が表示される（ステップＣ２８）。
【００９６】
なお、上記図２５に示したシーケンスに従ったユーザ端末１及び店舗装置５各々の処理動作は、予めＲＯＭ等の記憶媒体に格納されたプログラムを、ＣＰＵ（制御部）となるコンピュータに読み取らせて実行せしめることにより、実現できることは勿論である。
【００９７】
図１９〜２１及び２５に示した各動作例では、認証時にユーザ端末１が自端末が保持するＩＤ画像をシステム側に送信し、認証装置（認証サーバ３または店舗装置５）がユーザ端末１からの画像と基本画像との差分を算出し記憶部内の差分データと照合するようにしていたが、認証時にユーザ端末１は差分データをシステム側に送信するようにしてもよい。
【００９８】
この場合、図１９〜２１及び２５のステップＣ４及びステップＣ２４において、ステップＣ３（ステップＣ２３）の登録処理で算出された差分データをユーザ端末１に送信する。そして、ユーザはステップＣ５（ステップＣ２５）において当該差分データを選択し、当該差分データがステップＣ６（ステップＣ１１，Ｃ２６）において画像の代わりに送信され、認証装置はステップＣ８（ステップＣ２７）の認証処理において、受信された当該差分データと記憶部の差分データとを照合して認証を行うことになる。これにより、認証装置がステップＣ８（ステップＣ２７）の認証処理において受信画像と基本画像との差分を算出することが不要となる。
【００９９】
次に、本発明の第７の実施例による認証システムについて説明する。本発明の第７の実施例では、認証システムの構成は図１の構成と同様であり、ユーザ端末１の構成は図２の構成と同様であり、店舗装置２の構成は図３の構成と同様であり、認証サーバ３の構成は図１８の構成と同様である。
【０１００】
本発明の第７の実施例による認証システムの動作が図２６のシーケンス図に示されている。図２６において、認証サーバ３は認証サービスの提供の前に予めステップＤ１のＩＤ画像作成処理を行って、互いに異なる複数のＩＤ画像を作成しておく。このＩＤ画像作成処理は図２９に示されている。
【０１０１】
図２９において、認証サーバ３はその記憶部３４に店舗装置２の基本画像（ＩＤ画像作成に用いられる画像）を保持しており、認証サーバ３の画像加工部３６はまず、この基本画像を加工することにより、この基本画像から互いに異なる複数の画像をそれぞれＩＤ画像として作成する（ステップＳ１３）。そして、差分算出部３７は、作成された各ＩＤ画像と基本画像との差分を算出し（ステップＳ１４）、作成されたＩＤ画像と算出された差分データはそれぞれ互いに対応付けて記憶部３４に記憶される（ステップＳ１５）。
【０１０２】
図２６に戻り、ユーザの指示に応答して、ユーザ端末１から基地局４及び通信ネットワーク１０を介して認証サーバ３にＩＤ画像を要求すると（ステップＤ２）、認証サーバ３は、作成された複数のＩＤ画像のうちの一つをユーザ端末１のユーザ認証に用いるＩＤ画像としてユーザ端末１に送信する（ステップＤ３）。なお、このとき、記憶部３４内において、ユーザ端末１に送信されたＩＤ画像とユーザ端末１の端末ＩＤとが対応付けられるものとする、すなわち当該ＩＤ画像と既に対応付けられている差分データがユーザ端末１の端末ＩＤと対応付けられる。また、ユーザ端末１に送信されたＩＤ画像はユーザ端末１のユーザ認証に用いるＩＤ画像であるので、以降に別の端末からＩＤ画像の要求があっても、当該別の端末にはこのＩＤ画像が配布されることはなく、別のＩＤ画像が配布されるものとする。
【０１０３】
ここで、ユーザ端末１のユーザがサービスを受けるために店舗装置２が設置された店舗に行った場合、認証を受けるためにまず、ユーザは操作部１６を用いて記憶部１７内の画像からＩＤ画像を選択し（ステップＤ４）、ユーザ端末１の赤外線通信部１４から赤外線信号によりＩＤ画像を店舗装置２に送信する（ステップＤ５、認証要求）。このとき、ＩＤ画像と共にユーザ端末１の端末ＩＤも赤外線信号により送信されるものとする。なお、ステップＤ５において、赤外線通信部１４を用いることなく、基地局４及び通信ネットワーク１０を介して店舗装置２にＩＤ画像を送信するようにしてもよい。
【０１０４】
店舗装置２は、赤外線通信部２３によりユーザ端末１からのＩＤ画像及び端末ＩＤを受信すると、通信ネットワーク１０を介して認証サーバ３に転送して認証を要求する（ステップＤ６、認証要求）。
【０１０５】
認証サーバ３は、店舗装置２からの認証要求に応答して、ステップＤ７の認証処理を行う。この認証処理は図２３に示されている。図２３において、認証サーバ３の差分算出部３７は、受信されたＩＤ画像と基本画像との差分を算出する（ステップＳ１１）。そして、認証部３２が、この算出された差分データと、ユーザ端末１の端末ＩＤと対応付けて記憶部３４に記憶されている差分データとを照合して認証を行う（ステップＳ１２）。
【０１０６】
図２６に戻り、認証サーバ３はステップＤ７の認証処理の後、認証結果を通信ネットワーク１０を介して店舗装置２に送信する（ステップＤ８、認証完了）。認証結果が受信されると、店舗装置２の表示部２２に認証結果が表示される（ステップＤ９）。
【０１０７】
次に、本発明の第７の実施例による認証システムの別の動作例について説明する。図２７は本発明の第７の実施例による認証システムの別の動作例を示すシーケンス図である。図２７の動作例が図２６の動作例と異なる点は、ステップＤ４の後にユーザ端末１が、選択したＩＤ画像を赤外線通信部１４により店舗装置２に送信するのではなく、基地局４及び通信ネットワーク１０を介して認証サーバ３に直接送信するようにしている点である（ステップＤ１０、認証要求）。その他の動作は図２６と同様である。
【０１０８】
なお、上記図２６及び２７に示した各シーケンスに従ったユーザ端末１、店舗装置２及び認証サーバ３各々の処理動作は、予めＲＯＭ等の記憶媒体に格納されたプログラムを、ＣＰＵ（制御部）となるコンピュータに読み取らせて実行せしめることにより、実現できることは勿論である。
【０１０９】
次に、本発明の第８の実施例による認証システムについて説明する。本発明の第８の実施例では、認証システムの構成は図１０の構成と同様であり、ユーザ端末１の構成は図２の構成と同様であり、店舗装置５の構成は図２４の構成と同様である。
【０１１０】
本発明の第８の実施例による認証システムの動作が図２８のシーケンス図に示されている。図２８において、店舗装置５は認証サービスの提供の前に予めステップＤ２１のＩＤ画像作成処理を行って、互いに異なる複数のＩＤ画像を作成しておく。このＩＤ画像作成処理は図２９に示されている。
【０１１１】
図２９において、店舗装置５はその記憶部５６に店舗装置５の基本画像（ＩＤ画像作成に用いられる画像）を保持しており、店舗装置５の画像加工部５８はまず、この基本画像を加工することにより、この基本画像から互いに異なる複数の画像をそれぞれＩＤ画像として作成する（ステップＳ１３）。そして、差分算出部５９は、作成された各ＩＤ画像と基本画像との差分を算出し（ステップＳ１４）、作成されたＩＤ画像と算出された差分データはそれぞれ互いに対応付けて記憶部５６に記憶される（ステップＳ１５）。
【０１１２】
図２８に戻り、ユーザの指示に応答して、ユーザ端末１から基地局４及び通信ネットワーク１０を介して店舗装置５にＩＤ画像を要求すると（ステップＤ２２）、店舗装置５は、作成された複数のＩＤ画像のうちの一つをユーザ端末１のユーザ認証に用いるＩＤ画像としてユーザ端末１に送信する（ステップＤ２３）。なお、このとき、記憶部５６内において、ユーザ端末１に送信されたＩＤ画像とユーザ端末１の端末ＩＤとが対応付けられるものとする、すなわち当該ＩＤ画像と既に対応付けられている差分データがユーザ端末１の端末ＩＤと対応付けられる。また、ユーザ端末１に送信されたＩＤ画像はユーザ端末１のユーザ認証に用いるＩＤ画像であるので、以降に別の端末からＩＤ画像の要求があっても、当該別の端末にはこのＩＤ画像が配布されることはなく、別のＩＤ画像が配布されるものとする。
【０１１３】
ここで、ユーザ端末１のユーザがサービスを受けるために店舗装置５が設置された店舗に行った場合、認証を受けるためにまず、ユーザは操作部１６を用いて記憶部１７内の画像からＩＤ画像を選択し（ステップＤ２４）、ユーザ端末１の赤外線通信部１４から赤外線信号によりＩＤ画像を店舗装置５に送信する（ステップＤ２５、認証要求）。このとき、ＩＤ画像と共にユーザ端末１の端末ＩＤも赤外線信号により送信されるものとする。なお、ステップＤ２５において、赤外線通信部１４を用いることなく、基地局４及び通信ネットワーク１０を介して店舗装置５にＩＤ画像を送信するようにしてもよい。
【０１１４】
店舗装置５は、赤外線通信部５４によりユーザ端末１からのＩＤ画像及び端末ＩＤを受信すると、ステップＤ２６の認証処理を行う。この認証処理は図２３に示されている。図２３において、店舗装置５の差分算出部５９は、受信されたＩＤ画像と基本画像との差分を算出する（ステップＳ１１）。そして、認証部５２が、この算出された差分データと、ユーザ端末１の端末ＩＤと対応付けて記憶部５６に記憶されている差分データとを照合して認証を行う（ステップＳ１２）。
【０１１５】
図２８に戻り、ステップＤ２６の認証処理の後、店舗装置５の表示部５５に認証結果が表示される（ステップＤ２７）。
【０１１６】
なお、上記図２８に示したシーケンスに従ったユーザ端末１及び店舗装置５各々の処理動作は、予めＲＯＭ等の記憶媒体に格納されたプログラムを、ＣＰＵ（制御部）となるコンピュータに読み取らせて実行せしめることにより、実現できることは勿論である。
【０１１７】
図２６〜２８に示した各動作例では、認証時にユーザ端末１が自端末が保持するＩＤ画像をシステム側に送信し、認証装置（認証サーバ３または店舗装置５）が差分データを算出して記憶部内の差分データと照合するようにしていたが、認証時にユーザ端末１は差分データをシステム側に送信するようにしてもよい。
【０１１８】
この場合、図２６〜２８のステップＤ３及びＤ２３において、ユーザ端末１のユーザ認証に用いるＩＤ画像として選択されたＩＤ画像に対応付けられて記憶部に記憶されている差分データ（すなわち、当該ＩＤ画像と基本画像との差分データ）をユーザ端末１に送信する。そして、ユーザはステップＤ４（ステップＤ２４）において当該差分データを選択し、当該差分データがステップＤ５（ステップＤ１０，Ｄ２５）において画像の代わりに送信され、認証装置はステップＤ７（ステップＤ２６）の認証処理において、受信された当該差分データと記憶部の差分データとを照合して認証を行うことになる。これにより、認証装置がステップＤ７（ステップＤ２６）の認証処理において受信ＩＤ画像と基本画像との差分を算出することが不要となる。
【０１１９】
また、図２６〜２８に示した各動作例では、ユーザ端末１の端末ＩＤを用いているが、端末ＩＤを用いないようにしてもよい。この場合、認証装置はステップＤ７（ステップＤ２６）の認証処理において、受信ＩＤ画像と基本画像との差分を算出した後、この差分データと、ステップＤ１（ステップＤ２１）で算出された認証装置の記憶部内の差分データそれぞれと順次照合していくことになる。
【０１２０】
次に、本発明の第９の実施例による認証システムについて説明する。本発明の第９の実施例では、認証システムの構成は図１の構成と同様であり、店舗装置２の構成は図３の構成と同様であり、認証サーバ３の構成は図１８の構成と同様であるが、ユーザ端末１の構成は図１３の構成と異なる。
【０１２１】
図３０は本発明の第９の実施例におけるユーザ端末１の構成を示す図である。図３０において、ユーザ端末１は、アンテナ１２と、無線部１３と、赤外線通信部１４と、撮像部１５と、操作部１６と、記憶部１７と、表示部１８と、画像を加工する画像加工部７０と、２つの画像間の差分を算出する差分算出部７１と、これら各部を制御する制御部１１とを有している。すなわち、本発明の第９の実施例におけるユーザ端末１の構成は、図１３の構成において、特徴抽出部１９に代えて画像加工部７０及び差分算出部７１を設けたものである。
【０１２２】
本発明の第９の実施例による認証システムの動作が図３１のシーケンス図に示されている。認証サーバ３はその記憶部３４に店舗装置２の基本画像（ＩＤ画像作成に用いられる画像）を保持しているものとする。図３１において、ユーザ端末１はまず、ユーザ端末１のユーザ認証に用いるＩＤ画像を認証サーバ３に登録する前に、基本画像からユーザ端末１のＩＤ画像として用いるユニークな画像を作成すべく、基地局４及び通信ネットワーク１０を介して認証サーバ３に基本画像を要求する（ステップＥ１）。基本画像の要求に応答して、認証サーバ３は基本画像をユーザ端末１に送信する（ステップＥ２）。
【０１２３】
基本画像を受信すると、ユーザ端末１においてステップＥ３のＩＤ画像作成処理が行われる。このＩＤ画像作成処理は図３４に示されている。図３４において、認証サーバ３から基本画像を受信すると、ユーザはユーザ端末１の画像加工部７０を用いて基本画像からユニークな画像を、ユーザ端末１のユーザ認証に用いるＩＤ画像として作成する（ステップＳ１６）。例えば、ユーザ所望の文字（文字列）や絵等を基本画像に重畳することでユニークな画像を作成する。
【０１２４】
そして、ユーザ端末１の差分算出部７１は、作成されたＩＤ画像と基本画像との差分を算出し（ステップＳ１７）、作成されたＩＤ画像と算出された差分データは記憶部１７に記憶される（ステップＳ１８）。
【０１２５】
図３１に戻り、ユーザの指示に応答して、ユーザ端末１から基地局４及び通信ネットワーク１０を介して認証サーバ３にＩＤ画像を送信すると（ステップＥ４、登録要求）、認証サーバ３においてステップＥ５の登録処理が行われる。この登録処理は図３５に示されている。
【０１２６】
図３５において、認証サーバ３の差分算出部３７は、ユーザ端末１からのＩＤ画像と基本画像との差分を算出し（ステップＳ１９）、ＩＤ画像及び差分データは記憶部３４に保存される（ステップＳ２０）。このとき、ＩＤ画像及び差分データは、ユーザ端末１の端末ＩＤと対応付けて記憶部３４に保存されるものとする。なお、ステップＥ４において、ユーザ端末１がＩＤ画像と共に、自端末で算出した差分データも送信することとすれば、ステップＳ１９の処理を省くことができる。
【０１２７】
図３１に戻り、認証サーバ３はステップＥ５の登録処理の後、通信ネットワーク１０及び基地局４を介してユーザ端末１に登録完了を通知する（ステップＥ６、登録完了）。
【０１２８】
ここで、ユーザ端末１のユーザがサービスを受けるために店舗装置２が設置された店舗に行った場合、認証を受けるためにまず、ユーザは操作部１６を用いて記憶部１７内の画像からＩＤ画像を選択し（ステップＥ７）、ユーザ端末１の赤外線通信部１４から赤外線信号によりＩＤ画像を店舗装置２に送信する（ステップＥ８、認証要求）。このとき、ＩＤ画像と共にユーザ端末１の端末ＩＤも赤外線信号により送信されるものとする。なお、ステップＥ８において、赤外線通信部１４を用いることなく、基地局４及び通信ネットワーク１０を介して店舗装置２にＩＤ画像を送信するようにしてもよい。
【０１２９】
店舗装置２は、赤外線通信部２３によりユーザ端末１からのＩＤ画像及び端末ＩＤを受信すると、通信ネットワーク１０を介して認証サーバ３に転送して認証を要求する（ステップＥ９、認証要求）。
【０１３０】
認証サーバ３は、店舗装置２からの認証要求に応答して、ステップＥ１０の認証処理を行う。この認証処理は図２３に示されている。図２３において、認証サーバ３の差分算出部３７は、受信されたＩＤ画像と基本画像との差分を算出する（ステップＳ１１）。そして、認証部３２が、この算出された差分データと、ユーザ端末１の端末ＩＤと対応付けて記憶部３４に記憶されている差分データとを照合して認証を行う（ステップＳ１２）。
【０１３１】
図３１に戻り、認証サーバ３はステップＥ１０の認証処理の後、認証結果を通信ネットワーク１０を介して店舗装置２に送信する（ステップＥ１１、認証完了）。認証結果が受信されると、店舗装置２の表示部２２に認証結果が表示される（ステップＥ１２）。
【０１３２】
次に、本発明の第９の実施例による認証システムの別の動作例について説明する。図３２は本発明の第９の実施例による認証システムの別の動作例を示すシーケンス図である。図３２の動作例が図３１の動作例と異なる点は、ステップＥ７の後にユーザ端末１が、選択したＩＤ画像を赤外線通信部１４により店舗装置２に送信するのではなく、基地局４及び通信ネットワーク１０を介して認証サーバ３に直接送信するようにしている点である（ステップＥ１３、認証要求）。その他の動作は図３１と同様である。
【０１３３】
なお、図３１及び３２の動作例では、ユーザ端末１はステップＥ４において認証サーバ３に対して直接、登録要求を行っているが、店舗装置２を介して行うようにしてもよい。
【０１３４】
上記図３１及び３２に示した各シーケンスに従ったユーザ端末１、店舗装置２及び認証サーバ３各々の処理動作は、予めＲＯＭ等の記憶媒体に格納されたプログラムを、ＣＰＵ（制御部）となるコンピュータに読み取らせて実行せしめることにより、実現できることは勿論である。
【０１３５】
次に、本発明の第１０の実施例による認証システムについて説明する。本発明の第１０の実施例では、認証システムの構成は図１０の構成と同様であり、ユーザ端末１の構成は図３０の構成と同様であり、店舗装置５の構成は図２４の構成と同様である。
【０１３６】
本発明の第１０の実施例による認証システムの動作が図３３のシーケンス図に示されている。店舗装置５はその記憶部５６に店舗装置５の基本画像（ＩＤ画像作成に用いられる画像）を保持しているものとする。図３３において、ユーザ端末１はまず、ユーザ端末１のユーザ認証に用いるＩＤ画像を店舗装置５に登録する前に、基本画像からユーザ端末１のＩＤ画像として用いるユニークな画像を作成すべく、基地局４及び通信ネットワーク１０を介して店舗装置５に基本画像を要求する（ステップＥ２１）。基本画像の要求に応答して、店舗装置５は基本画像をユーザ端末１に送信する（ステップＥ２２）。
【０１３７】
基本画像を受信すると、ユーザ端末１においてステップＥ２３のＩＤ画像作成処理が行われる。このＩＤ画像作成処理は図３４に示されている。図３４において、店舗装置５から基本画像を受信すると、ユーザはユーザ端末１の画像加工部７０を用いて基本画像からユニークな画像を、ユーザ端末１のユーザ認証に用いるＩＤ画像として作成する（ステップＳ１６）。例えば、ユーザ所望の文字（文字列）や絵等を基本画像に重畳することでユニークな画像を作成する。
【０１３８】
そして、ユーザ端末１の差分算出部７１は、作成されたＩＤ画像と基本画像との差分を算出し（ステップＳ１７）、作成されたＩＤ画像と算出された差分データは記憶部１７に記憶される（ステップＳ１８）。
【０１３９】
図３３に戻り、ユーザの指示に応答して、ユーザ端末１から基地局４及び通信ネットワーク１０を介して店舗装置５にＩＤ画像を送信すると（ステップＥ２４、登録要求）、店舗装置５においてステップＥ２５の登録処理が行われる。この登録処理は図３５に示されている。
【０１４０】
図３５において、店舗装置５の差分算出部５９は、ユーザ端末１からのＩＤ画像と基本画像との差分を算出し（ステップＳ１９）、ＩＤ画像及び差分データは記憶部５６に保存される（ステップＳ２０）。このとき、ＩＤ画像及び差分データは、ユーザ端末１の端末ＩＤと対応付けて記憶部５６に保存されるものとする。なお、ステップＥ２４において、ユーザ端末１がＩＤ画像と共に、自端末で算出した差分データも送信することとすれば、ステップＳ１９の処理を省くことができる。
【０１４１】
図３３に戻り、店舗装置５はステップＥ２５の登録処理の後、通信ネットワーク１０及び基地局４を介してユーザ端末１に登録完了を通知する（ステップＥ２６、登録完了）。
【０１４２】
ここで、ユーザ端末１のユーザがサービスを受けるために店舗装置５が設置された店舗に行った場合、認証を受けるためにまず、ユーザは操作部１６を用いて記憶部１７内の画像からＩＤ画像を選択し（ステップＥ２７）、ユーザ端末１の赤外線通信部１４から赤外線信号によりＩＤ画像を店舗装置５に送信する（ステップＥ２８、認証要求）。このとき、ＩＤ画像と共にユーザ端末１の端末ＩＤも赤外線信号により送信されるものとする。なお、ステップＥ２８において、赤外線通信部１４を用いることなく、基地局４及び通信ネットワーク１０を介して店舗装置５にＩＤ画像を送信するようにしてもよい。
【０１４３】
店舗装置５は、赤外線通信部２３によりユーザ端末１からのＩＤ画像及び端末ＩＤを受信すると、ステップＥ２９の認証処理を行う。この認証処理は図２３に示されている。図２３において、店舗装置５の差分算出部５９は、受信されたＩＤ画像と基本画像との差分を算出する（ステップＳ１１）。そして、認証部５２が、この算出された差分データと、ユーザ端末１の端末ＩＤと対応付けて記憶部５６に記憶されている差分データとを照合して認証を行う（ステップＳ１２）。
図３３に戻り、ステップＥ２９の認証処理の後、認証結果が店舗装置５の表示部５５に表示される（ステップＥ３０）。
【０１４４】
なお、上記図３３に示したシーケンスに従ったユーザ端末１及び店舗装置５各々の処理動作は、予めＲＯＭ等の記憶媒体に格納されたプログラムを、ＣＰＵ（制御部）となるコンピュータに読み取らせて実行せしめることにより、実現できることは勿論である。
【０１４５】
図３１〜３３に示した各動作例では、認証時にユーザ端末１が自端末が保持するＩＤ画像をシステム側に送信し、認証装置（認証サーバ３または店舗装置５）が差分データを算出して記憶部内の差分データと照合するようにしていたが、認証時にユーザ端末１は差分データをシステム側に送信するようにしてもよい。
【０１４６】
この場合、図３１〜３３のステップＥ７及びＥ２７において、ユーザはユーザ端末１で既に求められている差分データを選択し、当該差分データがステップＥ８（ステップＥ１３，Ｅ２８）において画像の代わりに送信され、認証装置はステップＥ１０（ステップＥ２９）の認証処理において、受信された当該差分データと記憶部の差分データとを照合して認証を行うことになる。これにより、認証装置がステップＥ１０（ステップＥ２９）の認証処理において受信ＩＤ画像と基本画像との差分を算出することが不要となる。
【０１４７】
また、図３１〜３３に示した各動作例では、ユーザ端末１の端末ＩＤを用いているが、端末ＩＤを用いないようにしてもよい。この場合、認証装置はステップＥ１０（ステップＥ２９）の認証処理において、受信ＩＤ画像と基本画像との差分を算出した後、この差分データと、既に認証装置の記憶部内に記憶されている差分データそれぞれと順次照合していくことになる。
【０１４８】
次に、本発明の第１１の実施例による認証システムについて説明する。本発明の第１１の実施例では、認証システムの構成は図１の構成と同様であり、ユーザ端末１の構成は図２の構成と同様であり、店舗装置２の構成は図３の構成と同様であり、認証サーバ３の構成は図１８の構成と同様である。
【０１４９】
本発明の第１１の実施例による認証システムの動作が図３６のシーケンス図に示されている。認証サーバ３はその記憶部３４に店舗装置２の基本画像（ＩＤ画像作成に用いられる画像）を保持しているものとする。図３６において、まず、ユーザの指示によりユーザ端末１が、ユーザ所望の文字（文字列）や絵等を基地局４及び通信ネットワーク１０を介して認証サーバ３に送信すると（ステップＦ１）、認証サーバ３においてステップＦ２のＩＤ画像作成・登録処理が行われる。このＩＤ画像作成・登録処理は図３９に示されている。
【０１５０】
図３９において、認証サーバ３の画像加工部３６は、ユーザ端末１から受信された文字  （文字列）や絵等を基本画像に重畳することにより、ユニークな画像をユーザ端末１のユーザ認証に用いられるＩＤ画像として作成する（ステップＳ２１）。差分算出部３７は、作成されたユーザ端末１のＩＤ画像と基本画像との差分を算出し（ステップＳ２２）、作成されたＩＤ画像及び算出された差分データは記憶部３４に保存される（ステップＳ２３）。このとき、作成されたＩＤ画像及び算出された差分データは、ユーザ端末１の端末ＩＤと対応付けて保存されるものとする。
【０１５１】
図３６に戻り、認証サーバ３はステップＦ２のＩＤ画像作成・登録処理の後、通信ネットワーク１０及び基地局４を介して、作成されたユーザ端末１のＩＤ画像をユーザ端末１に送信する（ステップＦ３、登録完了）。
【０１５２】
ここで、ユーザ端末１のユーザがサービスを受けるために店舗装置２が設置された店舗に行った場合、認証を受けるためにまず、ユーザは操作部１６を用いて記憶部１７内の画像から認証サーバ３において登録されたＩＤ画像を選択し（ステップＦ４）、ユーザ端末１の赤外線通信部１４から赤外線信号によりＩＤ画像を店舗装置２に送信する（ステップＦ５、認証要求）。このとき、ＩＤ画像と共にユーザ端末１の端末ＩＤも赤外線信号により送信されるものとする。なお、ステップＦ５において、赤外線通信部１４を用いることなく、基地局４及び通信ネットワーク１０を介して店舗装置２にＩＤ画像を送信するようにしてもよい。
【０１５３】
店舗装置２は、赤外線通信部２３によりユーザ端末１からのＩＤ画像及び端末ＩＤを受信すると、通信ネットワーク１０を介して認証サーバ３に転送して認証を要求する（ステップＦ６、認証要求）。
【０１５４】
認証サーバ３は、店舗装置２からの認証要求に応答して、ステップＦ７の認証処理を行う。この認証処理は図２３に示されている。図２３において、認証サーバ３の差分算出部３７は、受信されたＩＤ画像と基本画像との差分を算出する（ステップＳ１１）。そして、認証部３２が、この算出された差分データと、ユーザ端末１の端末ＩＤと対応付けて記憶部３４に記憶されている差分データとを照合して認証を行う（ステップＳ１２）。
【０１５５】
図３６に戻り、認証サーバ３はステップＦ７の認証処理の後、認証結果を通信ネットワーク１０を介して店舗装置２に送信する（ステップＦ８、認証完了）。認証結果が受信されると、店舗装置２の表示部２２に認証結果が表示される（ステップＦ９）。
【０１５６】
次に、本発明の第１１の実施例による認証システムの別の動作例について説明する。図３７は本発明の第１１の実施例による認証システムの別の動作例を示すシーケンス図である。図３７の動作例が図３６の動作例と異なる点は、ステップＦ４の後にユーザ端末１が、選択したＩＤ画像を赤外線通信部１４により店舗装置２に送信するのではなく、基地局４及び通信ネットワーク１０を介して認証サーバ３に直接送信するようにしている点である（ステップＦ１０、認証要求）。その他の動作は図３６と同様である。
【０１５７】
なお、図３６及び３７の動作例では、ユーザ端末１はステップＦ１において認証サーバ３に対して直接、ユーザ所望の文字（文字列）や絵等を送信しているが、店舗装置２を介して行うようにしてもよい。
【０１５８】
上記図３６及び３７に示した各シーケンスに従ったユーザ端末１、店舗装置２及び認証サーバ３各々の処理動作は、予めＲＯＭ等の記憶媒体に格納されたプログラムを、ＣＰＵ（制御部）となるコンピュータに読み取らせて実行せしめることにより、実現できることは勿論である。
【０１５９】
次に、本発明の第１２の実施例による認証システムについて説明する。本発明の第１２の実施例では、認証システムの構成は図１０の構成と同様であり、ユーザ端末１の構成は図２の構成と同様であり、店舗装置５の構成は図２４の構成と同様である。
【０１６０】
本発明の第１２の実施例による認証システムの動作が図３８のシーケンス図に示されている。店舗装置５はその記憶部５６に店舗装置５の基本画像（ＩＤ画像作成に用いられる画像）を保持しているものとする。図３８において、まず、ユーザの指示によりユーザ端末１が、ユーザ所望の文字（文字列）や絵等を基地局４及び通信ネットワーク１０を介して店舗装置５に送信すると（ステップＦ２１）、店舗装置５においてステップＦ２２のＩＤ画像作成・登録処理が行われる。このＩＤ画像作成・登録処理は図３９に示されている。
【０１６１】
図３９において、店舗装置５の画像加工部５８は、ユーザ端末１から受信された文字（文字列）や絵等を基本画像に重畳することにより、ユニークな画像をユーザ端末１のユーザ認証に用いられるＩＤ画像として作成する（ステップＳ２１）。差分算出部５９は、作成されたユーザ端末１のＩＤ画像と基本画像との差分を算出し（ステップＳ２２）、作成されたＩＤ画像及び算出された差分データは記憶部５６に保存される（ステップＳ２３）。このとき、作成されたＩＤ画像及び算出された差分データは、ユーザ端末１の端末ＩＤと対応付けて保存されるものとする。
【０１６２】
図３８に戻り、店舗装置５はステップＦ２２のＩＤ画像作成・登録処理の後、通信ネットワーク１０及び基地局４を介して、作成されたユーザ端末１のＩＤ画像をユーザ端末１に送信する（ステップＦ２３、登録完了）。
【０１６３】
ここで、ユーザ端末１のユーザがサービスを受けるために店舗装置５が設置された店舗に行った場合、認証を受けるためにまず、ユーザは操作部１６を用いて記憶部１７内の画像から店舗装置５において登録されたＩＤ画像を選択し（ステップＦ２４）、ユーザ端末１の赤外線通信部１４から赤外線信号によりＩＤ画像を店舗装置５に送信する（ステップＦ２５、認証要求）。このとき、ＩＤ画像と共にユーザ端末１の端末ＩＤも赤外線信号により送信されるものとする。なお、ステップＦ２５において、赤外線通信部１４を用いることなく、基地局４及び通信ネットワーク１０を介して店舗装置５にＩＤ画像を送信するようにしてもよい。
【０１６４】
店舗装置５は、赤外線通信部５４によりユーザ端末１からのＩＤ画像及び端末ＩＤを受信すると、ステップＦ２６の認証処理を行う。この認証処理は図２３に示されている。図２３において、店舗装置５の差分算出部５９は、受信されたＩＤ画像と基本画像との差分を算出する（ステップＳ１１）。そして、認証部５２が、この算出された差分データと、ユーザ端末１の端末ＩＤと対応付けて記憶部５６に記憶されている差分データとを照合して認証を行う（ステップＳ１２）。
【０１６５】
図３８に戻り、ステップＦ２６の認証処理の後、認証結果が店舗装置５の表示部５５に認証結果が表示される（ステップＦ２７）。
【０１６６】
なお、上記図３８に示したシーケンスに従ったユーザ端末１及び店舗装置５各々の処理動作は、予めＲＯＭ等の記憶媒体に格納されたプログラムを、ＣＰＵ（制御部）となるコンピュータに読み取らせて実行せしめることにより、実現できることは勿論である。
【０１６７】
図３６〜３８に示した各動作例では、認証時にユーザ端末１が自端末が保持するＩＤ画像をシステム側に送信し、認証装置（認証サーバ３または店舗装置５）が差分データを算出して記憶部内の差分データと照合するようにしていたが、認証時にユーザ端末１は差分データをシステム側に送信するようにしてもよい。
【０１６８】
この場合、図３６〜３８のステップＦ３（ステップＦ２３）において、認証装置はステップＦ２（ステップＦ２２）で求められた差分データをユーザ端末に送信し、ステップＦ４（ステップＦ２４）において、ユーザは当該差分データを選択し、当該差分データがステップＦ５（ステップＦ１０，Ｆ２５）において画像の代わりに送信され、認証装置はステップＦ７（ステップＦ２６）の認証処理において、受信された当該差分データと記憶部の差分データとを照合して認証を行うことになる。これにより、認証装置がステップＦ７（ステップＦ２６）の認証処理において受信ＩＤ画像と基本画像との差分を算出することが不要となる。
【０１６９】
また、図３６〜３８に示した各動作例では、ユーザ端末１の端末ＩＤを用いているが、端末ＩＤを用いないようにしてもよい。この場合、認証装置はステップＦ７（ステップＦ２６）の認証処理において、受信ＩＤ画像と基本画像との差分を算出した後、この差分データを、既に認証装置の記憶部内に記憶されている差分データそれぞれと順次照合していくことになる。
【０１７０】
次に、本発明の第１３の実施例による認証システムについて説明する。本発明の第１３の実施例では、認証システムの構成は図１の構成と同様であり、ユーザ端末１の構成は図２の構成と同様であり、店舗装置２の構成は図３の構成と同様であり、認証サーバ３の構成は図１８の構成と同様である。
【０１７１】
本発明の第１３の実施例による認証システムの動作は図４０のシーケンス図に示されている。認証サーバ３はその記憶部３４にキー画像（ＩＤ画像との差分を算出するために用いられる画像）を保持しているものとする。
【０１７２】
図４０において、ユーザは、操作部１６を用いて記憶部１７内に記憶されている画像からユニークな画像（例えば、撮像部１５を用いて撮影された画像やユーザが作成した絵等の画像）を選択する（ステップＧ１）。ユーザ端末１は、基地局４及び通信ネットワーク１０を介して、選択された画像（基本画像）を認証サーバ３に送信する（ステップＧ２、登録要求）。
【０１７３】
認証サーバ３は、ユーザ端末１からの基本画像を受信すると、ステップＧ３の登録処理を行う。この登録処理は図４３に示されている。図４３において、認証サーバ３の制御部３１は、受信された基本画像をユーザ端末１のユーザ認証に用いるＩＤ画像として記憶部３４に保存する（ステップＳ２４）。このとき、ユーザ端末１のＩＤ画像は、ユーザ端末１の端末ＩＤと対応付けて記憶部３４に保存されるものとする。そして、認証サーバ３の差分算出部３７は、ユーザ端末１のＩＤ画像とキー画像との差分を算出し（ステップＳ２５）、算出された差分データがユーザ端末１のＩＤ画像と対応付けて記憶部３４に保存される（ステップＳ２６）。
【０１７４】
図４０に戻り、認証サーバ３はステップＧ３の登録処理の後、通信ネットワーク１０及び基地局４を介して登録処理の完了をユーザ端末１に通知する（ステップＧ４、登録完了）。
【０１７５】
ここで、ユーザ端末１のユーザがサービスを受けるために店舗装置２が設置された店舗に行った場合、認証を受けるためにまず、ユーザは操作部１６を用いて記憶部１７内の画像から認証サーバ３において登録されたＩＤ画像を選択し（ステップＧ５）、ユーザ端末１の赤外線通信部１４から赤外線信号によりＩＤ画像を店舗装置２に送信する（ステップＧ６、認証要求）。このとき、ＩＤ画像と共にユーザ端末１の端末ＩＤも赤外線信号により送信されるものとする。なお、ステップＧ６において、赤外線通信部１４を用いることなく、基地局４及び通信ネットワーク１０を介して店舗装置２にＩＤ画像を送信するようにしてもよい。
【０１７６】
店舗装置２は、赤外線通信部２３によりユーザ端末１からのＩＤ画像及び端末ＩＤを受信すると、通信ネットワーク１０を介して認証サーバ３に転送して認証を要求する（ステップＧ７、認証要求）。
【０１７７】
認証サーバ３は、店舗装置２からの認証要求に応答して、ステップＧ８の認証処理を行う。この認証処理は図４４に示されている。図４４において、認証サーバ３の差分算出部３７は、受信されたＩＤ画像とキー画像との差分を算出する（ステップＳ２７）。そして、認証部３２が、この算出された差分データと、ユーザ端末１の端末ＩＤと対応付けて記憶部３４に記憶されている差分データとを照合して認証を行う（ステップＳ２８）。
【０１７８】
図４０に戻り、認証サーバ３はステップＧ８の認証処理の後、認証結果を通信ネットワーク１０を介して店舗装置２に送信する（ステップＧ９、認証完了）。認証結果が受信されると、店舗装置２の表示部２２に認証結果が表示される（ステップＧ１０）。
【０１７９】
次に、本発明の第１３の実施例による認証システムの別の動作例について説明する。図４１は本発明の第１３の実施例による認証システムの別の動作例を示すシーケンス図である。図４１の動作例が図４０の動作例と異なる点は、ステップＧ５の後にユーザ端末１が、選択したＩＤ画像を赤外線通信部１４により店舗装置２に送信するのではなく、基地局４及び通信ネットワーク１０を介して認証サーバ３に直接送信するようにしている点である（ステップＧ１１、認証要求）。その他の動作は図４０と同様である。
【０１８０】
なお、図４０及び４１の動作例では、ユーザ端末１はステップＧ２において認証サーバ３に対して直接、基本画像を送信し登録要求をしているが、店舗装置２を介して行うようにしてもよい。
【０１８１】
上記図４０及び４１に示した各シーケンスに従ったユーザ端末１、店舗装置２及び認証サーバ３各々の処理動作は、予めＲＯＭ等の記憶媒体に格納されたプログラムを、ＣＰＵ（制御部）となるコンピュータに読み取らせて実行せしめることにより、実現できることは勿論である。
【０１８２】
次に、本発明の第１４の実施例による認証システムについて説明する。本発明の第１４の実施例では、認証システムの構成は図１０の構成と同様であり、ユーザ端末１の構成は図２の構成と同様であり、店舗装置５の構成は図２４の構成と同様である。
【０１８３】
本発明の第１４の実施例による認証システムの動作は図４２のシーケンス図に示されている。店舗装置５はその記憶部５６にキー画像（ＩＤ画像との差分を算出するために用いられる画像）を保持しているものとする。
【０１８４】
図４２において、ユーザは、操作部１６を用いて記憶部１７内に記憶されている画像からユニークな画像（例えば、撮像部１５を用いて撮影された画像やユーザが作成した絵等の画像）を選択する（ステップＧ２１）。ユーザ端末１は、基地局４及び通信ネットワーク１０を介して、選択された画像（基本画像）を店舗装置５に送信する（ステップＧ２２、登録要求）。
【０１８５】
店舗装置５は、ユーザ端末１からの基本画像を受信すると、ステップＧ２３の登録処理を行う。この登録処理は図４３に示されている。図４３において、店舗装置５の制御部５１は、受信された基本画像をユーザ端末１のユーザ認証に用いるＩＤ画像として記憶部５６に保存する（ステップＳ２４）。このとき、ユーザ端末１のＩＤ画像は、ユーザ端末１の端末ＩＤと対応付けて記憶部５６に保存されるものとする。そして、店舗装置５の差分算出部５９は、ユーザ端末１のＩＤ画像とキー画像との差分を算出し（ステップＳ２５）、算出された差分データがユーザ端末１のＩＤ画像と対応付けて記憶部５６に保存される（ステップＳ２６）。
【０１８６】
図４２に戻り、店舗装置５はステップＧ２３の登録処理の後、通信ネットワーク１０及び基地局４を介して登録処理の完了をユーザ端末１に通知する（ステップＧ２４、登録完了）。
【０１８７】
ここで、ユーザ端末１のユーザがサービスを受けるために店舗装置５が設置された店舗に行った場合、認証を受けるためにまず、ユーザは操作部１６を用いて記憶部１７内の画像から店舗装置５において登録されたＩＤ画像を選択し（ステップＧ２５）、ユーザ端末１の赤外線通信部１４から赤外線信号によりＩＤ画像を店舗装置５に送信する（ステップＧ２６、認証要求）。このとき、ＩＤ画像と共にユーザ端末１の端末ＩＤも赤外線信号により送信されるものとする。なお、ステップＧ２６において、赤外線通信部１４を用いることなく、基地局４及び通信ネットワーク１０を介して店舗装置５にＩＤ画像を送信するようにしてもよい。
【０１８８】
店舗装置５は、赤外線通信部５４によりユーザ端末１からのＩＤ画像及び端末ＩＤを受信すると、ステップＧ２７の認証処理を行う。この認証処理は図４４に示されている。図４４において、店舗装置５の差分算出部５９は、受信されたＩＤ画像とキー画像との差分を算出する（ステップＳ２７）。そして、認証部５２が、この算出された差分データと、ユーザ端末１の端末ＩＤと対応付けて記憶部３４に記憶されている差分データとを照合して認証を行う（ステップＳ２８）。
【０１８９】
図４２に戻り、ステップＧ２７の認証処理の後、認証結果が店舗装置５の表示部５５に表示される（ステップＧ２８）。
【０１９０】
なお、上記図４２に示したシーケンスに従ったユーザ端末１及び店舗装置５各々の処理動作は、予めＲＯＭ等の記憶媒体に格納されたプログラムを、ＣＰＵ（制御部）となるコンピュータに読み取らせて実行せしめることにより、実現できることは勿論である。
【０１９１】
図４０〜４２に示した各動作例では、認証時にユーザ端末１が自端末が保持するＩＤ画像をシステム側に送信し、認証装置（認証サーバ３または店舗装置５）が差分データを算出して記憶部内の差分データと照合するようにしていたが、認証時にユーザ端末１は差分データをシステム側に送信するようにしてもよい。
【０１９２】
この場合、図４０〜４２のステップＧ４（ステップＧ２４）において、認証装置はステップＧ３（ステップＧ２３）で求められた差分データをユーザ端末に送信し、ステップＧ５  （ステップＧ２５）において、ユーザは当該差分データを選択し、当該差分データがステップＧ６（ステップＧ１１，Ｇ２６）において画像の代わりに送信され、認証装置はステップＧ８（ステップＧ２７）の認証処理において、受信された当該差分データと記憶部の差分データとを照合して認証を行うことになる。これにより、認証装置がステップＧ８（ステップＧ２７）の認証処理において受信ＩＤ画像とキー画像との差分を算出することが不要となる。
【０１９３】
また、図４０〜４２に示した各動作例では、ユーザ端末１の端末ＩＤを用いているが、端末ＩＤを用いないようにしてもよい。この場合、認証装置はステップＧ８（ステップＧ２７）の認証処理において、受信ＩＤ画像とキー画像との差分を算出した後、この差分データを、既に認証装置の記憶部内に記憶されている差分データそれぞれと順次照合していくことになる。
【０１９４】
次に、本発明の第１５の実施例による認証システムについて説明する。本発明の第１５の実施例では、認証システムの構成は図１の構成と同様であり、ユーザ端末１の構成は図２の構成と同様であり、店舗装置２の構成は図３の構成と同様であるが、認証サーバ３の構成は図４の構成と異なる。
【０１９５】
図４５は本発明の第１５の実施例における認証サーバ３の構成を示す図である。図４５において、認証サーバ３は、認証部３２と、記憶部３４と、通信部３５と、画像を分解する画像分解部３８と、画像を合成する画像合成部３９と、これら各部を制御する制御部３１とを有している。すなわち、本発明の第１５の実施例における認証サーバ３の構成は、図４の構成において、特徴抽出部３３に代えて画像分解部３８及び画像合成部３９を設けたものである。
【０１９６】
次に、本発明の第１５の実施例による認証システムの動作について説明する。図４６は本発明の第１５の実施例による認証システムの動作を示すシーケンス図である。図４６において、ユーザは、操作部１６を用いて記憶部１７内に記憶されている画像からユニークな画像（例えば、撮像部１５を用いて撮影された画像やユーザが作成した絵等の画像）を選択する（ステップＨ１）。ユーザ端末１は、基地局４及び通信ネットワーク１０を介して、選択された画像（基本画像）を認証サーバ３に送信する（ステップＨ２、登録要求）。なお、ユーザ端末１はステップＨ２において認証サーバ３に対して直接、基本画像を送信し登録要求をしているが、店舗装置２を介して行うようにしてもよい。
【０１９７】
認証サーバ３は、ユーザ端末１からの基本画像を受信すると、ステップＨ３の画像分解・登録処理を行う。この画像分解・登録処理は図４７に示されている。図４７において、認証サーバ３の制御部３１は、受信された基本画像をユーザ端末１のユーザ認証に用いるＩＤ画像として記憶部３４に保存する（ステップＳ２９）。このとき、ユーザ端末１のＩＤ画像は、ユーザ端末１の端末ＩＤと対応付けて記憶部３４に保存されるものとする。
【０１９８】
そして、認証サーバ３の画像分解部３８は、色成分でユーザ端末１のＩＤ画像を２つに分解する（ステップＳ３０）。例えば、赤成分の画像と青・緑成分の画像というようにＩＤ画像を分解する。なお、ＩＤ画像を２つに分割するようにしてもよい。以下、画像分解部３８により分解されたＩＤ画像の一方を第１のキー画像と称し、他方を第２のキー画像と称す。第１及び第２のキー画像はユーザ端末１のＩＤ画像と対応付けて記憶部３４に保存される  （ステップＳ３１）。
【０１９９】
図４６に戻り、認証サーバ３はステップＨ３の画像分解・登録処理の後、通信ネットワーク１０及び基地局４を介して第１のキー画像をユーザ端末１に送信する（ステップＨ４、登録完了）。
【０２００】
ここで、ユーザ端末１のユーザがサービスを受けるために店舗装置２が設置された店舗に行った場合、認証を受けるためにまず、ユーザは操作部１６を用いて記憶部１７内の画像からステップＨ４で受信された第１のキー画像を選択し（ステップＨ５）、ユーザ端末１の赤外線通信部１４から赤外線信号により第１のキー画像を店舗装置２に送信する（ステップＨ６、認証要求）。このとき、第１のキー画像と共にユーザ端末１の端末ＩＤも赤外線信号により送信されるものとする。なお、ステップＨ６において、赤外線通信部１４を用いることなく、基地局４及び通信ネットワーク１０を介して店舗装置２に第１のキー画像を送信するようにしてもよい。
【０２０１】
店舗装置２は、赤外線通信部２３によりユーザ端末１からの第１のキー画像及び端末ＩＤを受信すると、通信ネットワーク１０を介して認証サーバ３に転送して認証を要求する（ステップＨ７、認証要求）。
【０２０２】
認証サーバ３は、店舗装置２からの認証要求に応答して、ステップＨ８の認証処理を行う。この認証処理は図４８に示されている。図４８において、認証サーバ３の画像合成部３９は、受信された第１のキー画像と、ユーザ端末１の端末ＩＤと対応付けて記憶部３４に記憶されている第２のキー画像とを合成する（ステップＳ３２）。そして、認証部３２が、この合成画像と、ユーザ端末１の端末ＩＤと対応付けて記憶部３４に記憶されているＩＤ画像とを照合し、両画像が一致するか否かにより認証を行う（ステップＳ３３）。
【０２０３】
図４６に戻り、認証サーバ３はステップＨ８の認証処理の後、認証結果を通信ネットワーク１０を介して店舗装置２に送信する（ステップＨ９、認証完了）。これにより、店舗装置２の表示部２２に認証結果が表示される（ステップＨ１０）。
【０２０４】
なお、上記図４６に示したシーケンスに従ったユーザ端末１、店舗装置２及び認証サーバ３各々の処理動作は、予めＲＯＭ等の記憶媒体に格納されたプログラムを、ＣＰＵ（制御部）となるコンピュータに読み取らせて実行せしめることにより、実現できることは勿論である。
【０２０５】
次に、本発明の第１６の実施例による認証システムについて説明する。本発明の第１６の実施例では、認証システムの構成は図１０の構成と同様であり、ユーザ端末１の構成は図２の構成と同様であるが、店舗装置５の構成は図１１の構成と異なる。
【０２０６】
図４９は本発明の第１６の実施例における店舗装置５の構成を示す図である。図４９において、店舗装置５は、認証部５２と、赤外線通信部５４と、表示部５５と、記憶部５６と、通信部５７と、画像を分解する画像分解部６０と、画像を合成する画像合成部６１と、これら各部を制御する制御部５１とを有している。すなわち、本発明の第１６の実施例における店舗装置５の構成は、図１１の構成において、特徴抽出部５３に代えて画像分解部６０及び画像合成部６１を設けたものである。
【０２０７】
次に、本発明の第１６の実施例による認証システムの動作について説明する。図５０は本発明の第１６の実施例による認証システムの動作を示すシーケンス図である。図５０において、ユーザは、操作部１６を用いて記憶部１７内に記憶されている画像からユニークな画像（例えば、撮像部１５を用いて撮影された画像やユーザが作成した絵等の画像）を選択する（ステップＨ２１）。ユーザ端末１は、基地局４及び通信ネットワーク１０を介して、選択された画像（基本画像）を店舗装置５に送信する（ステップＨ２２、登録要求）。
【０２０８】
店舗装置５は、ユーザ端末１からの基本画像を受信すると、ステップＨ２３の画像分解・登録処理を行う。この画像分解・登録処理は図４７に示されている。図４７において、店舗装置５の制御部５１は、受信された基本画像をユーザ端末１のユーザ認証に用いるＩＤ画像として記憶部５６に保存する（ステップＳ２９）。このとき、ユーザ端末１のＩＤ画像は、ユーザ端末１の端末ＩＤと対応付けて記憶部５６に保存されるものとする。
【０２０９】
そして、店舗装置５の画像分解部６０は、色成分でユーザ端末１のＩＤ画像を２つに分解する（ステップＳ３０）。例えば、赤成分の画像と青・緑成分の画像というようにＩＤ画像を分解する。なお、ＩＤ画像を２つに分割するようにしてもよい。以下、画像分解部６０により分解されたＩＤ画像の一方を第１のキー画像と称し、他方を第２のキー画像と称す。第１及び第２のキー画像はユーザ端末１のＩＤ画像と対応付けて記憶部５６に保存される（ステップＳ３１）。
【０２１０】
図５０に戻り、店舗装置５はステップＨ２３の画像分解・登録処理の後、通信ネットワーク１０及び基地局４を介して第１のキー画像をユーザ端末１に送信する（ステップＨ２４、登録完了）。
【０２１１】
ここで、ユーザ端末１のユーザがサービスを受けるために店舗装置５が設置された店舗に行った場合、認証を受けるためにまず、ユーザは操作部１６を用いて記憶部１７内の画像からステップＨ２４で受信された第１のキー画像を選択し（ステップＨ２５）、ユーザ端末１の赤外線通信部１４から赤外線信号により第１のキー画像を店舗装置５に送信する（ステップＨ２６、認証要求）。このとき、第１のキー画像と共にユーザ端末１の端末ＩＤも赤外線信号により送信されるものとする。なお、ステップＨ２６において、赤外線通信部１４を用いることなく、基地局４及び通信ネットワーク１０を介して店舗装置５に第１のキー画像を送信するようにしてもよい。
【０２１２】
店舗装置５は、赤外線通信部５４によりユーザ端末１からの第１のキー画像及び端末ＩＤを受信すると、ステップＨ２７の認証処理を行う。この認証処理は図４８に示されている。図４８において、店舗装置５の画像合成部６１は、受信された第１のキー画像と、ユーザ端末１の端末ＩＤと対応付けて記憶部５６に記憶されている第２のキー画像とを合成する（ステップＳ３２）。そして、認証部５２が、この合成画像と、ユーザ端末１の端末ＩＤと対応付けて記憶部５６に記憶されているＩＤ画像とを照合し、両画像が一致するか否かにより認証を行う（ステップＳ３３）。
【０２１３】
図５０に戻り、ステップＨ２７の認証処理の後、店舗装置５の表示部５５に認証結果が表示される（ステップＨ２８）。
【０２１４】
次に、本発明の第１６の実施例による認証システムの別の動作例について説明する。図５１は本発明の第１６の実施例による認証システムの別の動作例を示すシーケンス図である。図５１における「他のユーザ端末」は、図１０に示されていないが、ユーザ端末１と同様の構成を有する携帯電話機等の移動端末である。
【０２１５】
図５１において、ユーザ端末１の動作とステップＨ２３の画像分解・登録処理は図５０と同様であるので、この説明を省略する。図５１において、店舗装置５はステップＨ２３の画像分解・登録処理の後、通信ネットワーク１０及び基地局４を介して第１のキー画像をユーザ端末１に送信すると共に（ステップＨ２４、登録完了）、通信ネットワーク１０及び基地局４を介して第２のキー画像を当該他のユーザ端末に送信する（ステップＨ３１、登録完了）。なお、ユーザ端末１は、予め店舗装置５に対して、第２のキー画像の送付先として当該他のユーザ端末を指定しているものとする。
【０２１６】
ここで、ステップＨ２５及びＨ２６と同様に、当該他のユーザ端末のユーザが操作部１６を用いて記憶部１７内の画像からステップＨ３１で受信された第２のキー画像を選択し（ステップＨ３２）、当該他のユーザ端末の赤外線通信部１４から赤外線信号により第２のキー画像を店舗装置５に送信する（ステップＨ３３）。なお、ステップＨ３３において、赤外線通信部１４を用いることなく、基地局４及び通信ネットワーク１０を介して店舗装置５に第２のキー画像を送信するようにしてもよい。
【０２１７】
店舗装置５は、ユーザ端末１及び当該他のユーザ端末から第１及び第２のキー画像を受信すると、ステップＨ３４の認証処理を行う。この認証処理は図４８に示されている。図４８において、店舗装置５の画像合成部６１は、受信された第１及び第２のキー画像を合成する（ステップＳ３２）。そして、認証部５２が、この合成画像と、ユーザ端末１の端末ＩＤと対応付けて記憶部５６に記憶されているＩＤ画像とを照合し、両画像が一致するか否かにより認証を行う（ステップＳ３３）。
【０２１８】
なお、上記図５０及び５１に示した各シーケンスに従ったユーザ端末１及び店舗装置５各々の処理動作は、予めＲＯＭ等の記憶媒体に格納されたプログラムを、ＣＰＵ（制御部）となるコンピュータに読み取らせて実行せしめることにより、実現できることは勿論である。
【０２１９】
図１〜図５１を用いて説明した各動作例では、ユーザ端末１は、認証時に自端末が保持する画像、特徴データあるいは差分データをシステム側に送信するようにしているが、ユーザ端末１の表示部１８に、自端末が保持する画像、特徴データあるいは差分データを示すバーコード（２次元バーコード）を表示して、店舗装置２または５において表示部１８に表示されたバーコードを読み取るようにしてもよい。以下に、バーコードを用いる例について説明する。
【０２２０】
例えば図５の動作例においてバーコードを用いる場合、図５２に示されるように店舗装置２は図３の構成に加えてバーコード読取部２６を有し、また、図５３に示されるように認証サーバ３は図４の構成に加えてバーコード生成部４０を有している必要がある。そして、バーコード生成部４０がステップＡ３の登録処理で登録されたＩＤ画像または抽出された特徴データをバーコードに変換し、ステップＡ４においてユーザ端末１に送信するようにする。ステップＡ５でこのバーコードを選択してステップＡ６でユーザ端末１の表示部１８にバーコードを表示させ、店舗装置２のバーコード読取部２６でこのバーコードを読み取るようにすれば、店舗装置２はステップＡ７で認証サーバ３に送信すべきＩＤ画像または特徴データを得ることができるのである。
【０２２１】
認証サーバ３ではなくユーザ端末１がバーコードを生成するようにしてもよく、この場合、図５４に示されるようにユーザ端末１は図２の構成に加えてバーコード生成部４０を有している必要がある。そして、ユーザ端末１のバーコード生成部４０がステップＡ５で選択されたＩＤ画像または特徴データをバーコードに変換し、ステップＡ６で表示部１８にバーコードを表示させるようにすればよい。
【０２２２】
図１２の動作例においてバーコードを用いる場合、図５５に示されるように店舗装置５は図１１の構成に加えてバーコード読取部２６及びバーコード生成部４０を有している必要がある。そして、店舗装置５のバーコード生成部４０がステップＡ２３の登録処理で登録されたＩＤ画像または抽出された特徴データをバーコードに変換し、ステップＡ２４においてユーザ端末１に送信するようにする。ステップＡ２５でこのバーコードを選択してステップＡ２６でユーザ端末１の表示部１８にバーコードを表示させ、店舗装置５のバーコード読取部２６でこのバーコードを読み取るようにすれば、店舗装置５はステップＡ２７の認証処理に必要なＩＤ画像または特徴データを得ることができるのである。
【０２２３】
店舗装置５ではなくユーザ端末１がバーコードを生成するようにしてもよく、この場合、図５４に示されるようにユーザ端末１がバーコード生成部４０を有している必要がある。そして、ユーザ端末１のバーコード生成部４０がステップＡ２５で選択されたＩＤ画像または特徴データをバーコードに変換し、ステップＡ２６で表示部１８にバーコードを表示させるようにすればよい。
【０２２４】
同様に、図５及び１２の動作例以外の上述した各動作例においても、バーコード読取部２６を店舗装置２及び５に設けると共にバーコード生成部４０を認証装置（認証サーバ３、店舗装置５）あるいはユーザ端末１に設けることにより、認証時にユーザ端末１の表示部１８にバーコードを表示し、店舗装置２または５において表示部１８に表示されたバーコードを読み取って、認証を行うことができることは明らかである。
【０２２５】
【発明の効果】
本発明による効果は、認証に用いられるＩＤ画像を第三者に容易に知られることがないことである。移動端末のユーザに対する認証のために、移動端末毎に異なる画像をＩＤ画像として認証に用いるようにして、移動端末から送信された画像がＩＤ画像と一致するか否かにより認証を行うようにしているので、移動端末内のどの画像がＩＤ画像であるかということは容易に類推できない。
【図面の簡単な説明】
【図１】本発明の第１の実施例による認証システムの構成を示す図である。
【図２】図１のユーザ端末１の構成を示す図である。
【図３】図１の店舗装置２の構成を示す図である。
【図４】図１の認証サーバ３の構成を示す図である。
【図５】本発明の第１の実施例の動作を示すシーケンス図である。
【図６】本発明の第１の実施例の別の動作例を示すシーケンス図である。
【図７】本発明の第１の実施例の更に別の動作例を示すシーケンス図である。
【図８】図５のステップＡ３の処理を示すフローチャートである。
【図９】図５のステップＡ８の処理を示すフローチャートである。
【図１０】本発明の第２の実施例による認証システムの構成を示す図である。
【図１１】図１０の店舗装置５の構成を示す図である。
【図１２】本発明の第２の実施例の動作を示すシーケンス図である。
【図１３】本発明の第３の実施例におけるユーザ端末１の構成を示す図である。
【図１４】本発明の第３の実施例の動作を示すシーケンス図である。
【図１５】本発明の第３の実施例の別の動作を示すシーケンス図である。
【図１６】本発明の第４の実施例の動作を示すシーケンス図である。
【図１７】図１４のステップＢ７の処理を示すフローチャートである。
【図１８】本発明の第５の実施例における認証サーバ３の構成を示す図である。
【図１９】本発明の第５の実施例の動作を示すシーケンス図である。
【図２０】本発明の第５の実施例の別の動作を示すシーケンス図である。
【図２１】本発明の第５の実施例の更に別の動作を示すシーケンス図である。
【図２２】図１９のステップＣ３の処理を示すフローチャートである。
【図２３】図１９のステップＣ８の処理を示すフローチャートである。
【図２４】本発明の第６の実施例における店舗装置５の構成を示す図である。
【図２５】本発明の第６の実施例の動作を示すシーケンス図である。
【図２６】本発明の第７の実施例の動作を示すシーケンス図である。
【図２７】本発明の第７の実施例の別の動作を示すシーケンス図である。
【図２８】本発明の第８の実施例の動作を示すシーケンス図である。
【図２９】図２６のステップＤ１の処理を示すフローチャートである。
【図３０】本発明の第９の実施例におけるユーザ端末１の構成を示す図である。
【図３１】本発明の第９の実施例の動作を示すシーケンス図である。
【図３２】本発明の第９の実施例の別の動作を示すシーケンス図である。
【図３３】本発明の第１０の実施例の動作を示すシーケンス図である。
【図３４】図３１のステップＥ３の処理を示すフローチャートである。
【図３５】図３１のステップＥ５の処理を示すフローチャートである。
【図３６】本発明の第１１の実施例の動作を示すシーケンス図である。
【図３７】本発明の第１１の実施例の別の動作を示すシーケンス図である。
【図３８】本発明の第１２の実施例の動作を示すシーケンス図である。
【図３９】図３６のステップＦ２の処理を示すフローチャートである。
【図４０】本発明の第１３の実施例の動作を示すシーケンス図である。
【図４１】本発明の第１３の実施例の別の動作を示すシーケンス図である。
【図４２】本発明の第１４の実施例の動作を示すシーケンス図である。
【図４３】図４０のステップＧ３の処理を示すフローチャートである。
【図４４】図４０のステップＧ８の処理を示すフローチャートである。
【図４５】本発明の第１５の実施例における認証サーバ３の構成を示す図である。
【図４６】本発明の第１５の実施例の動作を示すシーケンス図である。
【図４７】図４６のステップＨ３の処理を示すフローチャートである。
【図４８】図４６のステップＨ８の処理を示すフローチャートである。
【図４９】本発明の第１６の実施例における店舗装置５の構成を示す図である。
【図５０】本発明の第１６の実施例の動作を示すシーケンス図である。
【図５１】本発明の第１６の実施例の別の動作を示すシーケンス図である。
【図５２】バーコードを用いる場合の店舗装置２の構成を示す図である。
【図５３】バーコードを用いる場合の認証サーバ３の構成を示す図である。
【図５４】バーコードを用いる場合のユーザ端末１の構成を示す図である。
【図５５】バーコードを用いる場合の店舗装置５の構成を示す図である。
【符号の説明】
１    ユーザ端末
２，５    店舗装置
３    認証サーバ
４    基地局
１０    通信ネットワーク
１１，２１，３１，５１    制御部
１２    アンテナ
１３    無線部
１４，２３，５４    赤外線通信部
１５    撮像部
１６    操作部
１７，２４，３４，５６    記憶部
１８，２２，５５    表示部
１９，３３，５３    特徴抽出部
２５，３５，５７    通信部
２６    バーコード読取部
３２，５２    認証部
３６，５８，７０    画像加工部
３７，５９，７１    差分算出部
３８，６０    画像分解部
３９，６１    画像合成部
４０    バーコード生成部
【図１】
2004328412.tif 000003
【図２】
2004328412.tif 000004
【図３】
2004328412.tif 000005
【図４】
2004328412.tif 000006
【図５】
2004328412.tif 000007
【図６】
2004328412.tif 000008
【図７】
2004328412.tif 000009
【図８】
2004328412.tif 000010
【図９】
2004328412.tif 000011
【図１０】
2004328412.tif 000012
【図１１】
2004328412.tif 000013
【図１２】
2004328412.tif 000014
【図１３】
2004328412.tif 000015
【図１４】
2004328412.tif 000016
【図１５】
2004328412.tif 000017
【図１６】
2004328412.tif 000018
【図１７】
2004328412.tif 000019
【図１８】
2004328412.tif 000020
【図１９】
2004328412.tif 000021
【図２０】
2004328412.tif 000022
【図２１】
2004328412.tif 000023
【図２２】
2004328412.tif 000024
【図２３】
2004328412.tif 000025
【図２４】
2004328412.tif 000026
【図２５】
2004328412.tif 000027
【図２６】
2004328412.tif 000028
【図２７】
2004328412.tif 000029
【図２８】
2004328412.tif 000030
【図２９】
2004328412.tif 000031
【図３０】
2004328412.tif 000032
【図３１】
2004328412.tif 000033
【図３２】
2004328412.tif 000034
【図３３】
2004328412.tif 000035
【図３４】
2004328412.tif 000036
【図３５】
2004328412.tif 000037
【図３６】
2004328412.tif 000038
【図３７】
2004328412.tif 000039
【図３８】
2004328412.tif 000040
【図３９】
2004328412.tif 000041
【図４０】
2004328412.tif 000042
【図４１】
2004328412.tif 000043
【図４２】
2004328412.tif 000044
【図４３】
2004328412.tif 000045
【図４４】
2004328412.tif 000046
【図４５】
2004328412.tif 000047
【図４６】
2004328412.tif 000048
【図４７】
2004328412.tif 000049
【図４８】
2004328412.tif 000050
【図４９】
2004328412.tif 000051
【図５０】
2004328412.tif 000052
【図５１】
2004328412.tif 000053
【図５２】
2004328412.tif 000054
【図５３】
2004328412.tif 000055
【図５４】
2004328412.tif 000056
【図５５】
2004328412.tif 000057